【事件の表示】
　上記当事者間の特許第５００００１１号発明「電気掃除機」の特許無効審判事件について、次のとおり審決する。
【結　論】
　特許第５００００１１号の明細書及び特許請求の範囲を訂正請求書に添付された訂正明細書及び訂正特許請求の範囲のとおり、訂正後の請求項〔１、２〕について訂正することを認める。
　特許第５００００１１号の請求項１及び２に係る発明についての特許を無効とする。
　審判費用は、被請求人の負担とする。
【理　由】
第１　手続の経緯
　特許第５００００１１号（以下「本件特許」という。）は、平成２０年１０月２３日に出願された特願２００８−２７２９２４号の一部を平成２２年１０月１５日に新たな特許出願とした特願２０１０−２３２６３４号について、さらにその一部を平成２３年１２月２７日に新たな特許出願とした特願２０１１−２８５８０８号に係り、平成２４年５月２５日に特許権の設定登録（請求項の数２）がされたものである。
　また、本件審判の請求に係る経緯は、以下のとおりである。
平成２６年　５月３０日　審判請求
　　　同年　８月２２日　審判事件答弁書の提出、訂正の請求
　　　同年１０月　６日　審判事件弁駁書の提出
　　　同年１２月　１日　補正許否の決定
　　　同年１２月　１日　審理事項通知
平成２７年　１月　５日　口頭審理陳述要領書（請求人）の提出
　　　同年　１月　５日　口頭審理陳述要領書（被請求人）の提出
　　　同年　１月１６日　口頭審理
　　　同年　３月　４日　審決の予告
　　　同年　５月１１日　訂正の請求
　　　同年　６月１９日　審判事件弁駁書の提出
　　　同年　７月　２日　補正許否の決定
　　　同年　７月３１日　審判事件答弁書の提出、訂正の請求
　　　同年　８月２０日　手続中止通知
平成２８年　１月２２日　手続中止解除通知
　　　同年　２月２６日　審判事件弁駁書の提出
　　　同年　５月３０日　審理終結通知
第２　訂正の請求について
１　訂正の内容
　平成２７年７月３１日付け訂正の請求による訂正は、「特許第５００００１１号の明細書、特許請求の範囲を本件請求書に添付した訂正明細書及び特許請求の範囲のとおり一群の請求項ごとに訂正する」ことを求めるものであり、その訂正（以下「本件訂正」という。）の内容は、本件特許に係る願書に添付した明細書及び特許請求の範囲を、次のように訂正するものである（下線は、訂正箇所を示す）。
　なお、平成２６年８月２２日付け訂正請求書及び平成２７年５月１１日付け訂正請求書による訂正の請求は、特許法１３４条の２第６項の規定により、取り下げられたものとみなす。
（１）　訂正事項１
　特許請求の範囲の請求項１を次のとおり訂正する。
「【請求項１】
　
掃除機本体部は、吸気口部、接続管、接続ホースを備え、前記掃除機本体部は前記掃除機本体部の前端に接続された前記接続ホースと前記接続管を介して前記吸気口部に接続される電気掃除機であって、
　
前記掃除機本体部は、
　塵埃を含む旋回気流を導入する導入口および空気の出口となる開口を有し、
　旋回気流により塵埃を集塵するダストカップと、
　前記ダストカップの中心部から排気するための内筒排気口が形成され、該内筒排気口を通過する空気を濾過する内筒フィルタと、
　前記内筒フィルタを経た空気をさらに排気することにより比較的小さい塵埃を捕集するフィルタが設けられた上部フィルタユニット
と、
　
前記上部フィルタユニットの上に設けられたフィルタ除塵部材と
　前記空気の出口となる前記サイクロン集塵装置の開口部から、電動送風機を内蔵した
前記
部
　前記ダクト部と前記サイクロン集塵装置の開口部との気密を保つ環状のパッキン部とを備え、
　前記ダクト部は前記掃除機本体
部
　前記サイクロン集塵装置は、前記掃除機本体
部
部
部
、
　
前記内筒フィルタを経た空気は前記上部フィルタユニットを通過し、
　
前記サイクロン集塵装置は内筒を有し、前記内筒は前記内筒フィルタを含み、前記内筒は前記ダストカップの底まで延びて前記ダストカップの底と嵌合し、
　前記内筒フィルタで濾過された後の空気は、前記内筒を通じて前記上部フィルタユニットに導かれ、
　
前記内筒と前記ダストカップの底との間の空気の漏れを防止するシール部材さらに備える
（２）　訂正事項２
　特許請求の範囲の請求項２を次のとおり訂正する。
「【請求項２】
　
前記内筒の底部は開放されており、
部
（３）　訂正事項３
　明細書の段落【０００６】を、次のとおり訂正する。
「【０００６】
　この発明に従った電気掃除機は、
掃除機本体部、吸気口部、接続管、接続ホースを備え、掃除機本体部は掃除機本体部の前端に接続された接続ホースと接続管を介して吸気口部に接続される電気掃除機であって、掃除機本体部は、
と、上部フィルタユニットの上に設けられたフィルタ除塵部材と
部
部
部
部
部
、内筒フィルタを経た空気は上部フィルタユニットを通過し、サイクロン集塵装置は内筒を有し、内筒は内筒フィルタを含み、内筒はダストカップの底まで延びてダストカップの底と嵌合し、内筒フィルタで濾過された後の空気は、内筒を通じて上部フィルタユニットに導かれる。内筒と前記ダストカップの底との間の空気の漏れを防止するシール部材をさらに備える。
　好ましくは、
内筒の底部は開放されており、
部
２　訂正の適否
（１）　訂正事項１及び２について
ア　訂正事項１は、訂正前の請求項１に係る発明の「電気掃除機」について、「掃除機本体部、吸気口部、接続管、接続ホースを備え、掃除機本体部は掃除機本体部の前端に接続された接続ホースと接続管を介して吸気口部に接続される電気掃除機であって」という限定事項を追加するものである。また、「サイクロン集塵装置」について、「前記上部フィルタユニットの上に設けられたフィルタ除塵部材とを有する」という限定事項を追加するものである。さらに、「前記内筒フィルタを経た空気は前記上部フィルタユニットを通過し、」、「前記サイクロン集塵装置は内筒を有し、前記内筒は前記内筒フィルタを含み、前記内筒は前記ダストカップの底まで延びて前記ダストカップの底と嵌合し、」、「前記内筒フィルタで濾過された後の空気は、前記内筒を通じて前記上部フィルタユニットに導かれ、」及び「内筒とダストカップの底との間の空気の漏れを防止するシール部材をさらに備える」という限定事項を追加するものである。
　また、訂正事項２は、訂正前の請求項２に係る発明の「内筒」について、「前記内筒の底部は開放されており」という限定事項を追加するものである。
　よって、訂正事項１及び２は、特許請求の範囲の減縮を目的とするものである。
　また、訂正事項１及び２は、訂正前の請求項１及び２における「掃除機本体」を、明細書の記載と整合させて「掃除機本体部」と訂正し、当該「掃除機本体部」が「塵埃を含む旋回気流を導入する導入口および空気の出口となる開口を有し、旋回気流により塵埃を集塵するダストカップと、前記ダストカップの中心部から排気するための内筒排気口が形成され、該内筒排気口を通過する空気を濾過する内筒フィルタと、前記内筒フィルタを経た空気をさらに排気することにより比較的小さい塵埃を捕集するフィルタが設けられた上部フィルタユニットと、前記上部フィルタユニットの上に設けられたフィルタ除塵部材とを有するサイクロン集塵装置と、前記空気の出口となる前記サイクロン集塵装置の開口部から、電動送風機を内蔵した前記掃除機本体部の上部に空気を導くダクト部と、前記ダクト部と前記サイクロン集塵装置の開口部との気密を保つ環状のパッキン部とを備え」たものであることを明確にするものであるから、明瞭でない記載の釈明を目的とするものである。
　また、訂正事項１は、「前記」を適切な個所に挿入することにより、請求項に記載されている発明特定事項の関係を明確にするものであるから、明瞭でない記載の釈明を目的とするものである。
　よって、訂正事項１及び２は、特許法第１３４条の２第１項ただし書第１号に規定する「特許請求の範囲の減縮」又は第３号に規定する「明瞭でない記載の釈明」を目的とするものである。
イ　また、上記アのとおり、訂正事項１及び２は、発明特定事項を直列的に付加するものであり、発明のカテゴリーや対象、目的を変更するものではないから、実質上特許請求の範囲を拡張し、又は変更するものには該当せず、特許法第１３４条の２第９項の規定によって準用する第１２６条第６項の規定に適合するものである。
ウ　そして、訂正事項１及び２は、本件特許明細書の段落【００１２】の「電気掃除機４００は、掃除機本体部４１０、吸気口部４２０、接続管４３０、接続ホース４４０、操作ハンドル４５０などを備えている。」との記載、上部フィルタユニット１３の上にフィルタ除塵部材１３２が設けられていることが看取される【図３】の記載、段落【００２７】の「一方、塵埃が分離された後の空気は、集塵容器１１から矢印１１２ａで示す排気経路に沿って掃除機本体部４１０に設けられた排出口から外部に排気される。ここで、集塵容器１１から排気口までの排気経路１１２上には、内筒１２、塵埃受部１４および上部フィルタユニット１３が順に配置されており、空気流中の比較的細かい塵埃が内筒１２および上部フィルタユニット１３に設けられたフィルタにより取り除かれる。」との記載、回転軸部に関する段落【００３４】の（内筒の一部分を構成する）「回転軸部１２３ｂは、集塵容器１１の底部に設けられた嵌合部１１ａに嵌合される中空円筒である。」との記載、段落【００４７】の「前記内筒フィルタで濾過された後の空気は、前記内筒を通じて前記上部フィルタユニットに導かれる」との記載、段落【００２４】の「このシール部材１１ｂにより、回転軸部１２３ｂおよび集塵容器１１の間の空気の漏れを防止できる。」との記載、段落【００３４】の「回転軸部１２３ｂは、集塵容器１１の底部に設けられた嵌合部１１ａに嵌合される中空円筒である。」という記載、及び、回転軸部１２３ｂの下端が開放されていることが看取される【図３】の記載から、導き出せるものであるから、願書に添付した明細書、特許請求の範囲又は図面に記載した事項の範囲内のものである。
　よって、訂正事項１及び２は、特許法第１３４条の２第９項の規定によって準用する第１２６条第５項の規定に適合するものである。
（２）　訂正事項３について
　訂正事項３は、訂正事項１及び２に係る訂正に伴って、特許請求の範囲の記載と発明の詳細な説明の記載との整合を図るための訂正である。
　よって、訂正事項３は、「明瞭でない記載の釈明」を目的とするものであり、また、実質上特許請求の範囲を拡張し、又は変更するものでもない。
　そして、訂正事項３が、願書に添付した明細書、特許請求の範囲又は図面に記載した事項の範囲内のものであることは、上記「（１）ウ」に示したとおりである。
　よって、訂正事項３は、特許法第１３４条の２第１項ただし書第３号に規定する「明瞭でない記載の釈明」を目的とするものであり、また、実質上特許請求の範囲を拡張し、又は変更するものでもなく、願書に添付した明細書、特許請求の範囲又は図面に記載した事項の範囲内のものであるから、同法第１３４条の２第９項の規定によって準用する同法第１２６条第５項及び第６項の規定に適合する。
３　まとめ
　以上のとおり、本件訂正は、特許法第１３４条の２第１項ただし書第１号又は第３号に掲げる事項を目的とし、同法第１３４条の２第９項の規定によって準用する同法第１２６条第５項及び第６項の規定に適合するので、一群の請求項ごとに訂正を認める。
第３　本件特許に係る発明
　上記「第２」に示したとおり、本件訂正は認められるから、本件特許の請求項１及び２に係る発明（以下「本件発明１」及び「本件発明２」という。）は、訂正明細書及び訂正特許請求の範囲の記載からみて、その訂正特許請求の範囲の請求項１及び２に記載された次のとおりのものである。
「【請求項１】
　
掃除機本体部は、吸気口部、接続管、接続ホースを備え、前記掃除機本体部は前記掃除機本体部の前端に接続された前記接続ホースと前記接続管を介して前記吸気口部に接続される電気掃除機であって、
　
前記掃除機本体部は、
　塵埃を含む旋回気流を導入する導入口および空気の出口となる開口を有し、
　旋回気流により塵埃を集塵するダストカップと、
　前記ダストカップの中心部から排気するための内筒排気口が形成され、該内筒排気口を通過する空気を濾過する内筒フィルタと、
　前記内筒フィルタを経た空気をさらに排気することにより比較的小さい塵埃を捕集するフィルタが設けられた上部フィルタユニット
と、
　
前記上部フィルタユニットの上に設けられたフィルタ除塵部材と
　前記空気の出口となる前記サイクロン集塵装置の開口部から、電動送風機を内蔵した
前記
部
　前記ダクト部と前記サイクロン集塵装置の開口部との気密を保つ環状のパッキン部とを備え、
　前記ダクト部は前記掃除機本体
部
　前記サイクロン集塵装置は、前記掃除機本体
部
部
部
、
　
前記内筒フィルタを経た空気は前記上部フィルタユニットを通過し、
　
前記サイクロン集塵装置は内筒を有し、前記内筒は前記内筒フィルタを含み、前記内筒は前記ダストカップの底まで延びて前記ダストカップの底と嵌合し、
　前記内筒フィルタで濾過された後の空気は、前記内筒を通じて前記上部フィルタユニットに導かれ、
　
前記内筒と前記ダストカップの底との間の空気の漏れを防止するシール部材さらに備える
【請求項２】
　
前記内筒の底部は開放されており、
部
第４　請求人の主張及び証拠方法
　請求人は、「特許第５００００１１号の請求項１に記載された発明（本件発明１）及び請求項２に記載された発明（本件発明２）についての特許を無効とする。審判費用は被請求人の負担とする」との審決を求め、下記の証拠方法を提出し、以下の無効理由を主張する。
　
１　無効理由
（１）無効理由１［平成２７年７月２日付け補正許否の決定により許可。］
　本件発明１は、
・甲第１号証、周知技術［甲第１号証の１、甲第２号証（甲第２号証の１〜６）、甲第３号証（甲第３号証の１〜５）、甲第７号証（甲第７号証の１）］に基いて、
　あるいは、
・甲第７号証、周知技術［甲第１号証、甲第２号証等、甲第３号証（甲第３号証の１〜５）］に基いて、
当業者が容易に発明をすることができたものであるから、特許法第２９条第２項の規定に違反して特許されたものであり、よってその特許は同法第１２３条第１項第２号に該当し、無効とされるべきものである。
　
（２）無効理由２［平成２７年７月２日付け補正許否の決定により許可。］
　本件発明２は、
・甲第１号証、周知技術［甲第１号証の１、甲第２号証（甲第２号証の１〜６）、甲第３号証（甲第３号証の１〜５）、甲第７号証（甲第７号証の１）］に基いて、
　あるいは、
・甲第７号証、周知技術［甲第１号証、甲第２号証等、甲第３号証（甲第３号証の１〜５）］に基いて、
当業者が容易に発明をすることができたものであるから、特許法第２９条第２項の規定に違反して特許されたものであり、よってその特許は同法第１２３条第１項第２号に該当し、無効とされるべきものである。
　
（３）無効理由３［平成２７年７月２日付け補正許否の決定により許可。］
　請求項１中の「前記上部フィルタユニットの上に設けられたフィルタ除塵部材」という記載及び「前記内筒は前記ダストカップの底まで延びて前記ダストカップの底と嵌合し、」という記載は不明確であり、特定しようとする発明を不明確にしている。請求項１を引用する請求項２についても同様である。
　よって、請求項１及び２の記載は、特許法第３６条第６項第２号に規定する要件を満たさず、よってその特許は同法第１２３条第１項第４号に該当し、無効とされるべきものである。
　
（４）　なお、請求人が平成２６年１０月６日付け審判事件弁駁書において新たに追加した甲第４〜６号証により立証しようとする事実に基づく、「製品１」に係る事項による請求の理由の補正は、平成２６年１２月１日付け補正許否の決定により、許可しないものとされた。
　
２　証拠方法
　審判請求書に添付して甲第１号証、甲第１号証の１、甲第２号証、甲第２号証の１〜６が提出され、平成２６年１０月６日付け審判事件弁駁書に添付して甲第３号証、甲第３号証の１〜５、甲第４〜６号証が提出され、平成２７年６月１９日付け審判事件弁駁書に添付して甲第７号証、甲第７号証の１が提出された。
甲第１号証　　　特開２００３−１８０５７９号公報
甲第１号証の１　特開２００３−１８０５７０号公報
甲第２号証　　　特開２００１−３１４３５４号公報
甲第２号証の１　特開２００７−１１７４６５号公報
甲第２号証の２　特開２００２−４５３１３号公報
甲第２号証の３　特開２００４−２６７６８０号公報
甲第２号証の４　特表２００６−５２４０６２号公報
甲第２号証の５　特開２００７−２０７６９号公報
甲第２号証の６　特開２００７−３０７３５２号公報
甲第３号証　　　特開２００４−２９０２１２号公報
甲第３号証の１　特開２００４−２２９８２６号公報
甲第３号証の２　特開２００４−２２９８２７号公報
甲第３号証の３　特開２００５−１３４１６号公報
甲第３号証の４　特開２００３−２６５３７７号公報
甲第３号証の５　特開２００５−５８７８７号公報
甲第４号証　　　製品１のカタログ
甲第５号証　　　現物１を示す写真及びその説明書
甲第６号証　　　現物１の取り扱い説明書
甲第７号証　　　特開２００７−２９７２１号公報
甲第７号証の１　特開２００７−１１１５０４号公報
　
第５　被請求人の主張
　被請求人は、「本件審判請求は成り立たない、審判費用は請求人の負担とする」との審決を求め、請求人が主張する無効理由は理由がないものであると主張する。
　具体的には、以下の点について主張する。
（１）本件発明１は、「塵埃が分離された後の空気は、矢印１１２ｃで示す方向に流れ、さらに集塵容器１１から矢印１１２ａ、１１２ｂで示す排気経路に沿って掃除機本体部４１０に設けられた排出口から外部に排気される。・・・矢印１１２ｃで示す方向の流れの空気が上部フィルタユニット１３に衝突するときに、空気は軸方向の大きな速度成分を有しているため、軸方向の速度成分を維持したまま上部フィルタユニット１３を通過することができる。」（口頭審理陳述要領書第４頁１０〜２０行）旨の主張、本件発明１の構成要件Ｉ１「前記掃除機本体に装着したときに前記サイクロン集塵装置の軸を掃除機本体の垂直方向に対して斜めに配置させ」及びＪ１’「前記内筒フィルタを経た空気は前記上部フィルタユニットを上方に通過する」について、「前記相違点（構成要件Ｉ１およびＪ１’の組み合わせ）に基づき、本願発明では、内筒フィルタを経た空気は上部フィルタユニットを上方に通過するため、上部フィルタユニットの全体を空気が通過する。その結果、上部フィルタユニットを効率よく利用することができる。したがって、上部フィルタユニットの寿命が長くなる。内筒フィルタを経た空気は上部フィルタユニットを上方に通過するためサイクロン集塵装置が嵩高となるが、サイクロン集塵装置の軸が掃除機本体に対して斜めに配置されているため、掃除機本体の高さを低く抑えることができる。」（答弁書第１３頁２０〜２７行）旨の主張、及び「積層体が傾斜し、かつ上部フィルタユニット上方に空気が通過する場合（本件発明）と、積層体が直立し、かつ上部フィルタ側方に空気が通過する場合（甲１）とを比較すると、本件発明では矢印１１２ａで示す排気経路は積層体が傾斜することで直線に近い形状となり、かつ、電動送風機２に筐体１０が近づく。その結果、排気効率が向上する。一方、甲１の排気経路では、上部フィルタに囲まれた狭い空間を空気は通過し、この狭い空間で経路が直角に曲げられるため、圧力損失が大きい。その結果、排気効率が低下する。」（口頭審理陳述要領書第５頁第２４〜３１行）旨の主張。
（２）甲１発明について、「甲１発明では、掃除機全体の強度が低下するのを抑制することができるサイクロン式のキャニスタタイプの電気掃除機を提供することを目的としている（段落０００８）。サイクロン集塵装置の軸が掃除機本体に対して斜めに配置されている場合には掃除機本体の前後方向の長さが長くなる。この場合、掃除機本体の強度が低下するため、かかる変更は甲１本来の目的を変更するものである。・・・そのため、甲１発明においてサイクロン集塵装置の軸を傾斜させることに関しては、阻害要因があるといえる。」（平成２６年８月２２日付け審判事件答弁書第１４頁第６〜１９行）旨の主張。
（３）甲１の１発明について、「甲１の１発明では、ダストボックスを掃除機本体に上方から挿入する場合、吸気口および排気口における接合部分では接合面同士が擦りあうためシールパッキンの密着性を高くすることができず、接合部分のシールを確実に行うことが困難であるという課題が開示されている（段落０００６）。サイクロン集塵装置の軸が掃除機本体に対して斜めに配置されている場合には、接合部分にサイクロン集塵装置の荷重が加わるため、接合面同士がより強く擦り合う。かかる変更は甲１の１本来の目的を変更するものであり、このような変更に関しては阻害要因があるといえる。」（平成２６年８月２２日付け審判事件答弁書第１４頁第２１〜２８行）旨の主張。
（４）本件発明２の構成要件Ｊ１’「内筒フィルタを経た空気は前記上部フィルタユニットを上方に通過する」とＡ２「掃除機本体の垂直方向よりダクト部がある方向の斜めに配置させる」について、「上部フィルタユニットを上方に空気が通過する（構成要件Ｊ１’）場合には、上部フィルタユニットの全体を空気が通過する。その結果、上部フィルタユニットを効率よく利用することができる。したがって、上部フィルタユニットの寿命が長くなる。上部フィルタユニット上方に空間が必要となるため、サイクロン集塵装置が軸方向に長くなるが、掃除機本体の垂直方向よりダクト部がある方向の斜めに配置させる（構成要件Ａ２）ことにより、掃除機本体の高さを低く抑えることができ、さらに、サイクロン集塵装置が掃除機本体の電動送風機と近くなり、排気経路を短くして圧力損失を軽減することができるため、排気効率が向上する。」（平成２６年８月２２日付け審判事件答弁書第１５頁第１８〜２６行）旨の主張。
（５）甲第１号証を基礎とした組み合わせに関して、甲第１号証では、フィルタ２９から落下した塵埃は内側フィルタ１２の底に溜まり、ダストボックス本体５の底へ到達するものではない。こうした構造を考慮すれば、甲第１号証は、そもそも、ダストボックス本体５の底の空間部２８に塵埃を堆積させるものではなく、さらに、内部フィルタ部７が備えられていることは、円筒状フィルタ２９に濾過される塵埃をダストボックス本体５底部の空間部２８に収容させることの阻害要因となる。その結果、「甲第１号証に甲第７号証を組み合わせることに関しては阻害要因があるといえる。」（平成２７年７月３１日付け答弁書第５頁第１〜２０行）旨の主張。
　
第６　甲各号証の記載事項
　本件特許の出願前に頒布された刊行物である甲第１号証、甲第１号証の１、甲第２号証、甲第２号証の１〜６、甲第３号証、甲第３号証の１〜５、甲第７号証には、以下の事項が記載されている。
１　甲第１号証
（１ａ）「【０００１】
【発明の属する技術分野】本発明は電気掃除機に関する。さらに詳しくは、サイクロン式のダストボックスを備えたキャニスタタイプの電気掃除機に関する。」
（１ｂ）「【０００９】
【課題を解決するための手段】本発明の電気掃除機は、キャニスタタイプの掃除機本体の前部に、サイクロン式のダストボックスが設けられ、該掃除機本体の後部に、電動送風機収納室が形成され、前記掃除機本体前部に、吸込ホースを連結するための連結口を有する前壁が設けられ、前記掃除機本体の後方上部と前記前壁とのあいだが、前記ダストボックスの側方周囲に延びる連結部によって連結され、当該連結部と前記掃除機本体の底部とのあいだには、前記ダストボックスの側面を露出させる少なくとも１つの開口が形成されてなることを特徴としている。」
（１ｃ）「【００１２】本実施の形態の電気掃除機は、図１〜８に示されるように、キャニスタタイプの掃除機本体１の前部に形成されたダストボックス収容部１ｆ（図９参照）には、サイクロン式のダストボックス２が上方から挿入されることにより着脱自在に設けられ、掃除機本体１の後部４０には電動送風機収納室１ｄ（図１０参照）が形成され、この収納室１ｄ内部に電動送風機３が内蔵された構成になっている。また、図示されていないが、掃除機本体１の前端面の連結口４には、一連の吸込ホース、吸込管および吸込具が連結されている。また、掃除機本体１は、床面を移動できるように、前輪１ａおよび一対の後輪１ｂ、１ｃを備えている。」
（１ｄ）「【００２７】ダストボックス２は、図４〜６および図８に示されるように、略円筒状の透明樹脂などで形成された透明または半透明のダストボックス本体５の内側にそれぞれ略円筒状の外側フィルタ部６および内側フィルタ部７がダストボックス本５と同心状に配置されている。
【００２８】図６に示されるように、外側フィルタ部６は、外側筒状部材８と、該外側筒状部材８側面に縦方向に沿って形成された複数本のスリット８ａ周囲を被覆する外側フィルタ９とからなる。」
（１ｅ）「【００３１】同様に、内側フィルタ部７は、内側筒状部材１１と、該内側筒状部材１１側面に縦方向に沿って形成された複数本のスリット１１ａ周囲を被覆する内側フィルタ１２とからなる。」
（１ｆ）「【００３４】外側フィルタ部６および内側フィルタ部７は、図６に示されるように、ダストボックス本体５の上端開口を閉塞する上蓋部１４の下面に垂れ下がった状態で固着されている。
【００３５】具体的には、外側筒状部材８の上部に延設された中蓋部８ｂがシールリング８ｃを挟んだ状態で上蓋部１４の内壁に嵌合している。中蓋部８ｂとダストボックス本体５とのあいだは中蓋部８ｂの段部に設けられたシールリング８ｄによって気密的に封止されている。一方、内側筒状部材１１の上部に延設された複数のスリットを有する円筒状ホルダ１１ｂは、円筒状フィルタ２９を保持した状態で上蓋部１４内部に収納されている。円筒状ホルダ１１ｂと中蓋部８ｂとのあいだは円筒状ホルダ１１ｂの外周面下端に設けられたシールリング１１ｃによって気密的に封止されている。
【００３６】ダストボックス２の側面には、吸気管１５が突設され、吸気管１５の先端側開口１６は、掃除機本体の幅方向の中心に形成された前記連結口４（図１および図７参照）と直接連結できるように、ダストボックス２の幅方向の略中心付近に形成されている。
・・・
【００３８】さらに、図６に示されるように、ダストボックス本体５の底部には、取手１９の下部に設けられたヒンジ２０により開閉自在に構成された底蓋２１が取り付けられている。この底蓋２１は、吸気管１５の下方に設けられたレバー２２の上部を押すことにより、レバー２２の下端に形成されたクランプ２３が底蓋２１側の係止爪２４より外れて、ダストボックス本体５の下端開口を開放するようになっている。」
（１ｇ）「【００４１】掃除機本体１の外部から吸入された塵埃を含む空気は、図６〜７に示されるように、連結口４および吸気管１５を通してダストボックス２内に入り、ダストボックス本体５の内壁に沿って旋回する。具体的には、ダストボックス本体５の内壁、外側フィルタ９および鍔部１０によって囲まれた第１サイクロン空間２５内部において、空気が旋回しながら外側フィルタ９内部へ流れ、大きな塵埃（粗塵）は、ダストボックス本体５の内壁と鍔部１０とのあいだの隙間３４を通ってダストボックス本体５底部の空間部２６に堆積する。
【００４２】同様に、外側フィルタ９内部へ流れた空気もさらに旋回する。具体的には、外側筒状部材８、内側フィルタ１２および鍔部１３によって囲まれた第２サイクロン空間２７内部において、空気は旋回しながら内側フィルタ１２内部へ流れ、塵埃は、外側筒状部材８と鍔部１３とのあいだの隙間３５を通ってダストボックス本体５底部の空間部２８に堆積する。
【００４３】なお、底蓋２１には、外側筒状部材８の下端縁と底蓋２１とのあいだの隙間を閉塞するためのパッキン３６が設けられているので、底蓋２１に沿って空間部２６から空間部２８へ空気が洩れることがない。
【００４４】ダストボックス本体５で塵埃が濾過された空気は、上蓋部１４内部の円筒状フィルタ２９によりさらに濾過されたのち、上蓋部１４後端の排気口３０よりダストボックス２外に出てから、図７に示す連絡通路３１を介して電動送風機３に取り込まれ、電動送風機３から排気フィルタ３２を通して濾過され、掃除機本体１の側面に形成されたメッシュ状の排気口２４および後輪１ｂまたは１ｃのメッシュを介して外部へ排出される。」
（１ｈ）【図６】には、内側フィルタ１２の内側筒状部材１１の上方は開口しており、当該開口を通って、ダストボックス本体５で塵埃が濾過された空気は上蓋部１４内部の円筒状フィルタ２９に流れることが見てとれる。また、外側筒状部材８の下端縁は、ダストボックス本体５の底部の底蓋２１にパッキン３６を介して嵌合していることが見てとれる。
　
　上記（１ａ）〜（１ｈ）の記載事項を総合すると、甲第１号証には、下記の発明（以下「甲１発明」という。）が記載されているものと認められる。
「サイクロン式のダストボックス２を備えたキャニスタタイプの電気掃除機であって、
　キャニスタタイプの掃除機本体１の前部に形成されたダストボックス収容部１ｆには、サイクロン式のダストボックス２が上方から挿入されることにより着脱自在に設けられ、掃除機本体１の後部４０には電動送風機３が内蔵された構成であり、
　掃除機本体１の前端面の連結口４には、一連の吸込ホース、吸込管および吸込具が連結されており、
　ダストボックス２は、略円筒状のダストボックス本体５の内側にそれぞれ略円筒状の外側フィルタ部６および内側フィルタ部７がダストボックス本体５と同心状に配置されたものであり、
　外側フィルタ部６は、外側筒状部材８と、該外側筒状部材８側面に形成された複数本のスリット８ａ及び当該スリット８ａの周囲を被覆する外側フィルタ９とからなり、
　内側フィルタ部７は、内側筒状部材１１と、該内側筒状部材１１側面に形成された複数本のスリット１１ａ及び当該スリット１１ａの周囲を被覆する内側フィルタ１２とからなり、
　外側フィルタ部６および内側フィルタ部７は、ダストボックス本体５の上端開口を閉塞する上蓋部１４の下面に垂れ下がった状態で固着され、
　内側筒状部材１１の上部に延設された複数のスリットを有する円筒状ホルダ１１ｂは、円筒状フィルタ２９を保持した状態で上蓋部１４内部に収納され、
　ダストボックス２の側面には、先端側開口１６を有する吸気管１５が突設され、
　掃除機本体１の外部から吸入された塵埃を含む空気は、吸気管１５を通してダストボックス２内に入り、ダストボックス本体５の内壁に沿って旋回しながら外側フィルタ９内部へ流れ、大きな塵埃はダストボックス本体５底部の空間部２６に堆積し、外側フィルタ９内部へ流れた空気は旋回しながら内側フィルタ１２内部へ流れ、塵埃はダストボックス本体５底部の空間部２８に堆積し、ダストボックス本体５で塵埃が濾過された空気は、内側フィルタ１２の内側筒状部材１１の上方開口を通って、上蓋部１４内部の円筒状フィルタ２９によりさらに濾過されたのち、上蓋部１４後端の排気口３０よりダストボックス２外に出てから、掃除機本体１の連絡通路３１を介して電動送風機３に取り込まれ、掃除機本体１の排気口を介して外部へ排出されるものであり、
　ダストボックス本体５の底部の底蓋２１には、底蓋２１に沿って空間部２６から空間部２８へ空気が洩れることがないように、外側筒状部材８の下端縁と底蓋２１とのあいだの隙間を閉塞するためのパッキン３６が設けられ、外側フィルタ部６の外側筒状部材８の下端縁は、底蓋２１にパッキン３６を介して嵌合している、電気掃除機。」
　
２　甲第１号証の１
（２ａ）「０００１】
【発明の属する技術分野】本発明は電気掃除機に関する。さらに詳しくは、サイクロン式のダストボックスを備えた電気掃除機に関する。」
（２ｂ）「【０００８】
【課題を解決するための手段】本発明の電気掃除機は、サイクロン式のダストボックスが上方から掃除機本体に装着され、前記ダストボックスの外面において略対向して吸気口および排気口が形成され、該吸気口と排気口とのあいだの距離が上方に向かうにつれて広がるように、前記吸気口および排気口が互いに傾斜して形成されてなることを特徴とする。」
（２ｃ）「【００１３】本実施の形態の電気掃除機は、図１〜８に示されるように、キャニスタタイプの掃除機本体１の前部に形成されたダストボックス収容部１ｆ（図１０〜１１参照）には、サイクロン式のダストボックス２が上方から挿入されることにより着脱自在に設けられ、掃除機本体１の後部には電動送風機３が内蔵された構成になっている。また、図示されていないが、掃除機本体１の前端面の連結口４には、一連の吸込ホース、吸込管および吸込具が連結されている。また、掃除機本体１は、床面を移動できるように、前輪１ａおよび一対の後輪１ｂ、１ｃを備えている。
【００１４】図６に示されるように、ダストボックス２の外面において略対向して配置されるように、ダストボックスの前面には吸気口として吸気管１５が設けられ、ダストボックス２の後面には排気口３０が形成されている。」
（２ｄ）「【００１７】図６に示されるように、吸気管１５の先端側開口１６と排気口３０の先端縁とのあいだの距離が上方に向かうにつれて広がるように、先端側開口１６と排気口３０とが互いに傾斜して形成されている。それにより、ダストボックス２を上方から掃除機本体１に挿入したときに、図７に示されるように、吸気管１５の先端側開口１６の先端縁が前方に傾斜しているシールパッキン４１に面接触し、一方、排気口３０の先端縁が後方に傾斜しているシールパッキン４２に面接触することにより、ダストボックス２をダストボックス収容部１ｆ（図１０〜１１参照）に挿入する際の接合面同士の摩擦抵抗が低減し、それにより吸気口（先端側開口１６）および排気口３０における接合部分のシールを容易かつ確実に行なうことができる。
【００１８】しかも、シールパッキン４１、４２はそれぞれ、上方から挿入されるダストボックスの吸気口（先端側開口１６）および排気口３０に対して傾斜した状態で接触するので、シールパッキン４１、４２がめくれたり、損傷するなどの問題が解消される。」
（２ｅ）「【００２３】ダストボックス２は、図４〜６および図８に示されるように、略円筒状の透明な合成樹脂などで形成された透明または半透明のダストボックス本体５の内側にそれぞれ略円筒状の外側フィルタ部６および内側フィルタ部７がダストボックス本体５と同心状に配置されている。
【００２４】図６に示されるように、外側フィルタ部６は、外側筒状部材８と、該外側筒状部材８側面に縦方向に沿って形成された複数本のスリット８ａ周囲を被覆する外側フィルタ９とからなる。」
（２ｆ）「【００２７】同様に、内側フィルタ部７は、内側筒状部材１１と、該内側筒状部材１１側面に縦方向に沿って形成された複数本のスリット１１ａ周囲を被覆する内側フィルタ１２とからなる。」
（２ｇ）「【００３０】外側フィルタ部６および内側フィルタ部７は、図６に示されるように、ダストボックス本体５の上端開口を閉塞する上蓋部１４の下面に垂れ下がった状態で固着されている。
【００３１】具体的には、外側筒状部材８の上部に延設された中蓋部８ｂがシールリング８ｃを挟んだ状態で上蓋部１４の内壁に嵌合している。中蓋部８ｂとダストボックス本体５とのあいだは中蓋部８ｂの段部に設けられたシールリング８ｄによって気密的に封止されている。一方、内側筒状部材１１の上部に延設された複数のスリットを有する円筒状ホルダ１１ｂは、円筒状フィルタ２９を保持した状態で上蓋部１４内部に収納されている。円筒状ホルダ１１ｂと中蓋部８ｂとのあいだは円筒状ホルダ１１ｂの外周面下端に設けられたシールリング１１ｃによって気密的に封止されている。
【００３２】ダストボックス２の側面には、吸気管１５が突設され、吸気管１５の先端側開口１６は、掃除機本体の幅方向の中心に形成された前記連結口４（図１および図７参照）と直接連結できるように、ダストボックス２の幅方向の略中心付近に形成されている。」
（２ｈ）「【００３７】掃除機本体１の外部から吸入された塵埃を含む空気は、図６〜７に示されるように、連結口４および吸気管１５を通してダストボックス２内に入り、ダストボックス本体５の内壁に沿って旋回する。具体的には、ダストボックス本体５の内壁、外側フィルタ９および鍔部１０によって囲まれた第１サイクロン空間２５内部において、空気が旋回しながら外側フィルタ９内部へ流れ、大きな塵埃（粗塵）は、ダストボックス本体５の内壁と鍔部１０とのあいだの隙間３４を通ってダストボックス本体５底部の空間部２６に堆積する。
【００３８】同様に、外側フィルタ９内部へ流れた空気もさらに旋回する。具体的には、外側筒状部材８、内側フィルタ１２および鍔部１３によって囲まれた第２サイクロン空間２７内部において、空気は旋回しながら内側フィルタ１２内部へ流れ、塵埃は、外側筒状部材８と鍔部１３とのあいだの隙間３５を通ってダストボックス本体５底部の空間部２８に堆積する。
【００３９】なお、底蓋２１には、外側筒状部材８の下端縁と底蓋２１とのあいだの隙間を閉塞するためのパッキン３６が設けられているので、底蓋２１に沿って空間部２６から空間部２８へ空気が洩れることがない。
【００４０】ダストボックス本体５で塵埃が濾過された空気は、上蓋部１４内部の円筒状フィルタ２９によりさらに濾過されたのち、上蓋部１４後端の排気口３０よりダストボックス２外に出てから、図７に示す連絡通路３１を介して電動送風機３に取り込まれ、電動送風機３から排気フィルタ３２を通して濾過され、掃除機本体１の側面に形成されたメッシュ状の排気口３３および後輪１ｂまたは１ｃのメッシュを介して外部へ排出される。」
　
３　甲第２号証
（３ａ）「【０００１】
【発明の属する技術分野】本発明は、電気掃除機に関わり、特に集塵装置を着脱自在に形成した電気掃除機の改良に関する。」
（３ｂ）「【００１７】20は前記掃除機本体１の集塵装置収納室９に着脱自在に収納される集塵装置で、集塵装置収納室９への収納状態で、後述する蓋体24が後方上部に向くように傾斜して装着されるようになっている。
【００１８】前記集塵装置20は、透明な合成樹脂にて形成された略円筒状の集塵ケース21と、該集塵ケース21内に回転自在に装着される円筒状の筒体22と、該筒体22の内側に集塵ケース21に着脱自在に装着されるメインフィルター23と、前記集塵ケース21の上面側に形成される塵埃排出用開口部を開閉自在に閉塞する蓋体24とから構成されている。」
（３ｃ）「【００２５】前記蓋体24には、略中央部分に排出口44が形成されており、該排出口44はメインフィルター23の筒状体28内に連通すると共に、集塵装置20の掃除機本体１への装着状態で、排出口44が掃除機本体１の吸引口11にパッキン45を介して気密に連通するようになっている。前記排出口44に設けられたパッキン45は、メインフィルター23の筒状体28に当接し、筒状体28と蓋体24との間からメインフィルター23の不織布を通過しない空気が電動送風機６に向かって流れるのを防止するようになっている。」
（３ｄ）「【００２７】而して、吸込口４に可撓性ホースを接続し、電動送風機６を駆動すると、床用吸込具から吸引された塵埃が、延長管、可撓性ホースを介して吸込口４から吸塵路12、接続口10、接続口41を経て集塵ケース21内に入り、集塵ケース21内壁に沿って旋回しながら蓋体24方向に流れ、比較的大きな塵埃は蓋体24側から圧縮された状態に堆積していく。
【００２８】微細な塵埃は空気と共にプレフィルター28を通過するが、メインフィルター23の不織布により濾過され、きれいな空気のみメインフィルター23を通過して吸引路15を経て電動送風機６を通って排気口18から外部に排出される。」
（３ｅ）「【００３４】集塵装置20は掃除機本体１への装着状態で、排出口44が後方上部に向かって傾斜するようになっていると共に、電動送風機６を吸気口７が上に向くように装着しているので、吸込口４から集塵装置20への吸塵路12及び集塵装置20から電動送風機６への吸引路15を空気がスムースに流れるよう構成することができ、通気抵抗を低減して吸気効率を向上することができる。」
　
４　甲第２号証の１
（４ａ）「【０００１】
　本発明は、集塵器およびそれを備えた電気掃除機に関するものである。」
（４ｂ）「【００２７】
　自走式掃除機は、図１〜図３に示すように、電動送風機１３を内装した掃除機本体１０と、床面のゴミや埃等を吸引する吸込口体２０と、掃除機本体１０に着脱自在に装着された集塵器３０ａとから構成される。」
（４ｃ）「【００２９】
　掃除機本体１０は、図３に示すように、小判型のケーシングの上面にカプセル状の集塵器３０ａを収容するための収容凹部１５が形成され、該収容凹部１５に集塵器３０ａが着脱自在に装着される。ケーシングの前部側には、障害物や壁面等に衝突した際の衝撃を緩和するバンパー１２が取り付けられる。」
（４ｄ）「【００３６】
　集塵器３０ａは、掃除機本体１０の上面に形成された収容凹部１５に着脱可能に収納されるものであって、図５に示すように、吸込口体２０から集塵室３２内に吸引されたゴミや埃等を含む吸気を集塵室３２内で旋回させ、排気筒３４のフィルタ３４ａにより空気と塵埃とを分離させると共に吸い込んだ空気を集塵室３２外へ排出するサイクロン式の集塵器である。
【００３７】
　集塵室３２を形成する集塵容器は、半カップ状の蓋３３ｃとケース３３ｄとが互いの開口縁部同士をネジ嵌合してカプセル状に形成される。
【００３８】
　排気筒３４は、円筒状に形成され、集塵室３２の中央に配設される。排気筒３４の一端は、半カップ状の蓋３３ｃの内側にネジ止め固定され、他端部が蓋３３ｃの開口縁からケース側に突出している。この突出部の周壁には集塵室３２から空気を排出するための開口が形成され、該開口を含む排気筒３４の突出部全体を覆うように袋状のフィルタ３４ａが止着される。排気筒３４の蓋３３ｃの内側部分には、フィルタ３４ａを通って分離された空気を集塵容器排気口３３ｂに導く連通口が開口され、排気筒３４から排出される空気を集塵容器排気口３３ｂから収容凹部１５側の排出口１８に導くようになっている。」
（４ｅ）【図３】には、集塵器３０ａが掃除機本体１０に対してその上部が後方の電動送風機がある方向に傾斜した姿勢で装着されていることが見てとれる。
　
５　甲第２号証の２
（５ａ）「【０００１】
【発明の属する技術分野】本発明は、ケース体に集塵部が着脱可能に装着される電気掃除機に関する。」
（５ｂ）「【００２０】図１および図２において、１は掃除機本体で、この掃除機本体１は、ケース体２と、このケース体２の上部を回動により開放可能に後部が連結して取り付けられる蓋体３とを備えた本体ケース４を有している。
【００２１】また、ケース体２は、電動送風機６を収容する電動送風機室７を内部に区画形成する駆動部８と、この駆動部８に隣接し集塵部９を着脱可能に装着する載置部10とを備えている。」
（５ｃ）「【００３２】一方、集塵部９は、上端面に排出口67を開口し底部周縁がケース体２の載置部10に載置される有底円筒状の集塵カップ65と、この集塵カップ65の上端面の開口に着脱可能に嵌挿して装着される濾過部66とを備えている。そして、濾過部66は、集塵カップ65の上端面に開口する排出口67に嵌合される略円筒状の嵌合部68と、この嵌合部68の下端面を閉塞する通気性を有した蓋部69とを備え、皿状に形成されている。
【００３３】さらに、濾過部66の蓋部69には、周縁近傍に変位した位置に下方に向けて円筒状で、上端に吸込部51の吸込管53の下端が略気密に連結し下端が嵌合部68の接線方向に沿った側方に向けて吸気開口70を開口する吸気筒部71が設けられている。また、濾過部66には、嵌合部68の上端面の開口に着脱可能に取り付けられ集気開口72を複数開口する格子状の枠部73が設けられている。そして、蓋部69と枠部73との間には、通気性を有するフィルタ74が集気開口72を閉塞するように着脱可能に装着されている。
【００３４】そして、濾過部66を集塵カップ65に取り付けて構成した集塵部９は、上部の濾過部66が前側上方に向く傾斜した状態で集塵カップ65の下部がケース体２の装着下凹部38に載置係合され、蓋体３がケース体２の上部を覆うように回動する状態で吸気筒部71の上端が吸込部51の吸込管53の下端に略気密に連結するとともに枠部73が吸気路56の通孔55に略密着する状態でケース体２と蓋体３とにて挟持されて本体ケース４の前側に装着される。」
（５ｄ）「【００３８】この掃除待機状態で、ホース81の先端部に配設された図示しない操作手段の設定操作により、適宜電動送風機６を駆動して掃除する。そして、この電動送風機６の駆動により、吸込口体の下面に開口する図示しない床面吸込口から空気とともに塵埃を吸い込み、延長管およびホース81を介して吸込部51の本体吸込口52に至る。さらに、吸込部51の吸込管53を通って集塵部９の吸気筒部71から集塵カップ65内に集塵カップ65の内周面の接線方向に渦巻き状に吸い込まれる。そして、塵埃は渦巻き状に吸い込まれた空気の渦流の遠心力により集塵カップ65の内面に沿って落下し、空気は集塵カップ65の中心軸に位置する渦流の中心から集塵部９の濾過部66のフィルタ74を通って枠部の集気開口72から流出し、空気と塵埃とが分離される。さらに、分離された空気は、集塵部９の枠部73と密着する蓋体３の通孔55から吸気路56を通過し、この吸気路56の下流側に略気密に連通するケース体２の連通孔25を通って電動送風機６の吸気口から吸気される。さらに、空気は、電動送風機６内を通って電動送風機室７内に排気され、さらに排気口31から外気に排気される。」
　
６　甲第２号証の３
（６ａ）「【００３２】
図１〜図１８において、５は吸引風を発する電動送風機６と塵埃を吸引する吸込具に連通し、上方に配設され吸引した吸引風から塵埃を遠心分離する遠心分離部７と、下方に配設され前記遠心分離部７から分離された塵埃を蓄積する塵埃蓄積部８から構成された集塵部である。前記集塵部５は、前記遠心分離部７の鉛直方向の中心軸が、前記塵埃蓄積部８の鉛直方向の中心軸に対し３０°傾斜させた構成となっている。
【００３３】
また、前記吸込具にて吸引した塵埃を含む吸引風を集塵部５に流入するための吸気口部で、１０は前記遠心分離部７の入口で前記吸気口部９から吸引された塵埃を含む吸引風を、前記遠心分離部７室内に略均等に分流するための分岐口部である。また、１１は前記集塵部５を持ち運ぶための把手部で、１２は前記集塵部５の略上方に開口部１３を設け、前記開口部１３を覆い、内部に吸引した吸引風が含む塵埃のろ過用のフィルター部１４を配設した集塵部蓋で、１５は前記把手部１１近傍に設けて、前記集塵部蓋１２と前記集塵部５の間を係止及び解除させる操作部であり、この前記操作部１５は前記把手部１１を持つと同時に動作させることができる。
【００３４】
また、１６は前記集塵部５と前記集塵部蓋１２の間に配置され、前記遠心分離部７の鉛直方向の略中心軸上に位置し、略円筒形状をなす粗塵蓄積用のプレフィルターであり、１７は前記プレフィルター１６の下方に配置した略円盤形状の保護部材である。」
（６ｂ）「【００３９】
前記遠心分離部７で粗塵埃を分離した細塵を含む吸引風は、前記プレフィルター１６を通過して、前記集塵部蓋１２の内部の前記フィルター部１４を通過するとき、細塵をろ過して、きれいな状態で前記電動送風機６に吸引された後、大気に排出される。
【００４０】
また、前記塵埃蓄積部８に蓄積した塵埃を排出する際、１つめの方法としては、前記集塵部５を本体から取り出し前記把手部１１を持ち、つまむと同時にその内側に設けた前記操作部１５を押し、前記集塵部５を前記集塵部蓋１２の間の固定を解除させて前記塵埃蓄積部蓋１２を前記集塵部５から外す。そして、前記集塵部５の上部の前記開口部１３から内部の塵埃を排出させることができる。」
（６ｃ）「【００４２】
図１〜図３において、前記集塵部５は前記遠心分離部７が前記塵埃蓄積部８に対し３０°の角度で傾斜させているので、前記遠心分離部７と前記塵埃蓄積部８が上下方向に直列に配設されている場合に比べ、全体高さを抑えることができ、縦型掃除機はもちろんのこと、床移動型掃除機にも搭載できる。なお、本実施例においては、３０°の角度で傾斜させているが、５°から８５°の間の傾斜角度であれば十分目的を満たす。」
（６ｄ）「【００５２】
図９〜図１１において、前記遠心分離部７で分離されずに前記集塵部蓋１２内部の前記フィルター部１４に付着して性能低下を発生させていた塵埃を先に前記プレフィルター１６で蓄積することにより前記フィルター部１４への付着を低減し性能低下を抑制させることができる。また、前記プレフィルター１６の形状を略円筒形状にすることにより、前記プレフィルター１６の面積を大きくすることができるので前記プレフィルター１６への塵埃の蓄積による性能低下も抑制することができる。」
（６ｅ）【図１】、【図２】には、集塵部５が本体に対してその上部が後方の電動送風機がある方向に傾斜した姿勢で装着されていることが見てとれる。
　
７　甲第２号証の４
（７ａ）「【００１３】
　図２および図３を参照すると、本発明に従って構成されたクリーニング装置が真空掃除機７の形態で示されている。この真空掃除機７は本体８を有し、これは真空掃除機の主要コンポーネントを支持する。従来様式で、本体８は、分離・収集機構１０を支持するシャーシ９と、この分離機構内にゴミを含んだ空気を引き込む吸引力を発生させるためのモーター駆動ファン(図示せず)とを有する。本体８はまた、掃除機７が床面１１を横切って移動することを可能とするための手段を有する。この実施形態では、二つ(シャーシ９のそれぞれのサイドに一つ)のサイドホイール１２が設けられる。キャスターホイール１３の形態のさらなるホイールが設けられ、これはシャーシ９の前部の下方に配置される。サイドホイール１２、およびキャスターホイール１３は、本体８が面を横切って移動することを可能にするための他の手段、たとえばスキッドまたはローラーによって補助することができ、あるいはこうした手段で置き換えることができる。」
（７ｂ）「【００１４】
　分離機構１０は全体として、中を空にするためそして分離機構の下方に配置された他のコンポーネントに対するアクセスのために、シャーシ９に取り外し可能に搭載される。
【００１５】
　分離機構１０の形態は本発明では重要ではない。ゴミ、チリおよび屑を空気流から回転させるサイクロン式分離機の使用が好ましいが、他形態の分離機を使用することもできる。好ましい分離機技術の例は、慣性分離機、フィルターバッグ、多孔質容器、静電式分離機あるいは液体式分離機を含む。」
（７ｃ）【図２】には、分離機構１０が真空掃除機７の本体８に対してその上部が後方に傾斜した姿勢で装着されていることが見てとれる。
　
８　甲第２号証の５
（８ａ）「【０００１】
　本発明は、電気掃除機の集塵構造に関するものである。」
（８ｂ）「【００１９】
　図１、図２、図３において、５は吸引風を発する電動送風機６と塵埃を吸引する吸込具に連通し、上方に配設され吸引した吸引風から塵埃を遠心分離する遠心分離部７と、下方に配設され前記遠心分離部７から分離された塵埃を堆積する塵埃蓄積部８から構成された集塵部である。
【００２０】
　また、９は前記吸込具にて吸引した塵埃を含む吸引風を集塵部５に流入するための吸気口部で、１０は前記遠心分離部７の入口で前記吸気口部９から吸引された塵埃を含む吸引風を、前記遠心分離部７室内に略均等に分流するための分岐口部である。また、１１は前記集塵部５を運ぶための把手部で、１２は前記集塵部５の略上方に開口部１３を設け、前記開口部１３を覆い、内部に吸引した吸引風が含む塵埃の濾過用のフィルター部１４を配設した集塵部蓋で、１５は前記把手部１１近傍に設けて、前記集塵部蓋１２と前記集塵部５の間を係止及び解除させる操作部である。
【００２１】
　また、１６は前記集塵部５と前記集塵部蓋１２の間に配置され、前記遠心分離部７の鉛直方向の略中心上に位置し、略円筒状をなす粗塵蓄積用のプレフィルターである。」
（８ｃ）「【００２７】
　前記遠心分離部７で粗塵埃を分離した細塵を含む吸引風は、前記プレフィルター１６を通過して、前記集塵部蓋１２の内部の前記フィルター部１４を通過するとき、細塵を濾過して、きれいな状態で前記電動送風機６に吸引された後、大気に排出される。」
（８ｄ）【図１】、【図２】には、集塵部５の上部が後方の電動送風機がある方向に傾斜した姿勢で装着されていることが見てとれる。
　
９　甲第２号証の６
（９ａ）「【００２５】
　図１乃至図３に示すように、本発明の思想による真空掃除機１０は、内部に吸入力を発生させる真空モータが備えられる掃除機本体１００と、前記掃除機本体１００に吸入された空気に含まれている塵埃を分離させる塵埃分離装置とを含む。」
（９ｂ）「【００３１】
　一方、前記塵埃分離装置は、空気に含まれている塵埃を一次的に分離する第１次サイクロン部（後述する）が備えられる集塵ユニット２００と、前記第１次サイクロン部によって塵埃が分離された空気から再度塵埃が分離されるようにし、前記掃除機本体１００に備えられる第２次サイクロン部３００から構成される。
【００３２】
　詳しくは、前記集塵ユニット２００は、前記掃除機本体１００の前方部に着脱可能に装着される。」
（９ｃ）「【００３４】
　また、前記集塵ユニット２００は、サイクロン流動を発生させる第１次サイクロン部と、前記第１次サイクロン部から分離された塵埃が捕集される塵埃捕集部が形成される集塵体２１０とを含む。」
（９ｄ）「【００５５】
　図４及び図５に示すように、本発明の思想による集塵ユニット２００は、外形をなす集塵体２１０と、前記集塵体２１０の内部に選択的に収納されて吸入された空気から塵埃が分離されるようにする第１次サイクロン部２３０と、前記集塵体２１０の上側を選択的に開閉させるカバー部材２５０とを含む。
【００５６】
　詳しくは、前記集塵体２１０は、略円筒形に形成され、その内部に分離された塵埃が捕集される塵埃捕集部が形成される。」
（９ｅ）【図７】には、集塵ユニット２００が掃除機本体１００後方の連結流路１１４の方向に傾斜した姿勢で装着されていることが見てとれる。
　
１０　甲第３号証
（１０ａ）「【０００１】
【発明の属する技術分野】
本願発明は、サイクロン式の集塵装置及びそれを用いた電気掃除機に関するものである。」
（１０ｂ）「【００２３】
一方、図５〜図１９等に示すように、集塵装置２は、図８に示す如く横断面形状が略Ｄカット形状に形成されたダストボックス１０の内側に、第１サイクロン筒体となる略円筒状の外側フィルタフィクスチャ（フィルタ枠体）１１と、第２サイクロン筒体となる内側フィルタフィクスチャ１２が配置されており、ダストボックス１０は内部に溜まった塵埃や塵埃の旋回が外から見えるように透明又は半透明の合成樹脂などで形成されている。
【００２４】
上記外側フィルタフィクスチャ１１は、図９に示すように、その上部外周面に形成された開口部１３を覆うように斜線で示したメッシュ（フィルタ）１４をインサート成形している部品である。」
（１０ｃ）「【００３５】
また、上記外側フィルタフィクスチャ１１は、ダストボックス１０の上端開口を開閉する上蓋２４の下面を成す中蓋２５に垂れ下がった状態に着脱可能に取り付けられるようになっている。上蓋２４の下面を成す中蓋２５の中央部には、下方に延びる短めの排気筒２６が形成されており、この中蓋２５が当該中蓋２５の外周に装着されたパッキン２７を挟んだ状態で上蓋２４の内壁に嵌合している。また、中蓋２５とダストボックス１０の上端間も、上記中蓋２５の外周に装着されたパッキン２７によって密閉されるようになっている。すなわち、本実施形態では、図１５等に示すように、ダストボックス１０と中蓋２５と上蓋２４間を１つのパッキン２７で密閉するように構成されている。従来技術で述べた本願出願人が提案したものでは、ダストボックスと中蓋と上蓋間が２〜３個の複数のシール部材で密閉されるようになっていた。シール部材を複数使用する場合、部品点数が増える為、組立工数が増え、また、コストアップや部品検査作業の負担増といった問題が発生し、生産面・コスト面で大きなマイナスとなる。このように、従来、ダストボック１０内の気密性保持の為に複数使用していたシール部材を本実施形態では１個で対応できるようになり、従来負担となっていた組立及び部品検査作業の時間削減や、部品や組立費の低減などで大きな効果が得られる。なお、上蓋２４の上面には取手部２８が設けられている。
【００３６】
また、上蓋２４と中蓋２５との間には、排気筒２６の上部開口（排気口）２９を覆うようにして細塵を濾過するダストフィルタ３０が、中蓋２５の外周上端にパッキン３１を介して配置されるフィルタ枠体３２に装着されて取り付けられている。上記ダストフィルタ３０は、図１６〜図１８に示すように構成されて装着される。ここで、このダストフィルタ３０が目の粗い仕様だと、細塵の中でも小さな塵埃は通ってしまい、逆に目の細かい仕様だと、細塵の中で大きな塵埃も小さな塵埃も一緒に蓄積され、ダストフィルタ３０の目詰まりが早くなる。そこで、本実施形態では、ダストフィルタ３０を２層構造に形成すると共に、２層構造の吸入側に排出側より目の粗いフィルタを配置したものである。具体的には、図１６（ｂ）に示すように、空気の吸入側（風の流れの上流側）に目の粗いウレタンフィルタ（例えばポリエーテル系ウレタンフォームのタイプＣＦＨ−５０）３０ａを使用し、排出側（風の流れの下流側）に目の細かいウレタンフィルタ（例えばポリエーテル系ウレタンフォームのタイプＣＦＳ）３０ｂを使用した２層構造とした。なお、本実施形態では、厚みの比率を、目の粗いウレタンフィルタ３０ａを２、目の細かいウレタンフィルタ３０ｂを１としたが、掃除機の性能及びダストボックス１０の形状や大きさ等により任意に選択できる。また、集塵性能を考慮して、３層構造以上の構成も任意に選択できるものとする。以上のように構成することにより、空気の浄化が１層に比べて長期にわたって安定的に行われ、また、ダストフィルタ３０の取換え寿命が大幅に伸び、使用時の負担が低減されるなどの大きな効果が得られる。
【００３７】
また、上記のように、ダストボックス１０内で分離できなかった細塵の中で大きなものを第１層で捕り、小さなものを第２層で捕るようにした場合、目詰まりは第２層の表面で起こる。ここで、２種類のウレタンフィルタ３０ａ、３０ｂの張り合わせをフィルタ全面で接着して行っている場合、第２層の表面で起こった目詰まりは、水洗いによって目詰まりのない状態に復帰させなければならないので、メンテナンス性に課題が残る。そこで、本実施形態では、図１７に網掛け図示したように、ダストフィルタ３０の２層の張り合わせ部３０ｃを一部分３０ｄを除いた外周側のみの接着とした。このように構成することにより、ダストフィルタ３０が目詰まりした時、２層目表面に溜まった細塵を、接着していない部分３０ｄから落とすことが可能になる。これにより、水洗いすることなくダストフィルタ３０を目詰まりのない状態に復帰させることが可能となり、ダストフィルタ３０のメンテナンス性向上という効果が得られる。」
（１０ｄ）「【００４５】
次に、本実施形態の電気掃除機における塵埃及び空気のそれぞれの流れについて説明する。
【００４６】
掃除機本体１の外部から吸引される塵埃を含む空気は、図３に示されるように、連結口４から吸気管１５を通してダストボックス１０内に入り、ダストボックス１０の内壁に沿って旋回する。具体的には、第１サイクロン空間２２内部において、空気が旋回しながら外側フィルタフィクスチャ１１のフィルタ内部へ流れ、分離された塵埃は隙間２１を通って下方に落ち、ダストボックス１０底部の外側集塵部２３に堆積する。
【００４７】
同様に、外側フィルタフィクスチャ１１のフィルタ内部に流れた空気もさらに旋回する。具体的には、第２サイクロン空間４０内部において、空気が旋回しながら遠心分離によって細塵を分離し、分離された細塵は内側フィルタフィクスチャ１２の内壁に沿って下方に落下し、内側集塵部３９に堆積する。」
（１０ｅ）「【００５０】
上記のようにして、ダストボックス１０内で塵埃が濾過された空気は、排気筒２６から吸引されて上蓋２４内部のダストフィルタ３０により更に濾過されたのち、上蓋２４後端の排気口５０より集塵装置２外に出る。そして、掃除機本体１内の連絡通路７を介して電動送風機３に取り込まれる。図４に示したように、電動送風機３から排出される排気は、矢印で示す如く上ケース１ｂの排気スリット１ｃからケースカバー１ｄの排気孔１ｅに至る経路で上方向に風向きが規制され、排気孔１ｅを通過した後も上方向に向かって広がってゆくので、床面の埃の舞い上がりを確実に防ぐことができる。」
（１０ｆ）【図６】、【図７】、【図１６】並びに上記（１０ｃ）、（１０ｅ）の記載から、ダストフィルタ３０は平板状であり、ダストボックス１０内で塵埃が濾過された空気は、ダストフィルタ３０を上方に通過したのち、上蓋２４後端の排気口５０より集塵装置２外に出ることが見てとれる。
　
１１　甲第３号証の１
（１１ａ）「【０００１】
【発明の属する技術分野】
本願発明は、サイクロン式の集塵装置及びそれを用いた電気掃除機に関するものである。」
（１１ｂ）「【００２９】
一方、図５〜図１６等に示すように、集塵装置２は、図８に示す如く横断面形状が略Ｄカット形状に形成されたダストボックス１０の内側に、第１サイクロン筒体となる略円筒状の外側フィルタフィクスチャ（フィルタ枠体）１１と、第２サイクロン筒体となる内側フィルタフィクスチャ１２が配置されており、ダストボックス１０は内部に溜まった塵埃や塵埃の旋回が外から見えるように透明又は半透明の合成樹脂などで形成されている。また、外側フィルタフィクスチャ１１は、図９に示すように、その上部外周面に形成された開口部１３がメッシュ状のフィルタ１４で覆われている。」
（１１ｃ）「【００３６】
また、上記外側フィルタフィクスチャ１１は、ダストボックス１０の上端開口を開閉する上蓋２４の下面を成す中蓋２５に垂れ下がった状態に着脱可能に取り付けられるようになっている。上蓋２４の下面を成す中蓋２５の中央部には、下方に延びる短めの排気筒２６が形成されており、この中蓋２５が当該中蓋２５の外周に装着されたパッキン２７を挟んだ状態で上蓋２４の内壁に嵌合している。また、中蓋２５とダストボックス１０の上端間も、上記中蓋２５の外周に装着されたパッキン２７によって密閉されるようになっている。すなわち、本実施形態では、図１２等に示すように、ダストボックス１０と中蓋２５と上蓋２４間を１つのパッキン２７で密閉するように構成されている。従来技術で述べた本願出願人が特願２００１−３８４３８７号で提案したものでは、ダストボックスと中蓋と上蓋間が２〜３個の複数のシール部材で密閉されるようになっていた。シール部材を複数使用する場合、部品点数が増える為、組立工数が増え、また、コストアップや部品検査作業の負担増といった問題が発生し、生産面・コスト面で大きなマイナスとなる。このように、従来、ダストボック１０内の気密性保持の為に複数使用していたシール部材を本実施形態では１個で対応できるようになり、従来負担となっていた組立及び部品検査作業の時間削減や、部品や組立費の低減などで大きな効果が得られる。なお、上蓋２４の上面には取手部２８が設けられている。
【００３７】
また、上蓋２４と中蓋２５との間には、排気筒２６の上部開口（排気口）２９を覆うようにして細塵を濾過するダストフィルタ３０が、中蓋２５の外周上端にパッキン３１を介して配置されるフィルタ枠体３２に装着されて取り付けられている。上記ダストフィルタ３０は、図１３〜図１５に示すように構成されて装着される。ここで、このダストフィルタ３０が目の粗い仕様だと、細塵の中でも小さな塵埃は通ってしまい、逆に目の細かい仕様だと、細塵の中で大きな塵埃も小さな塵埃も一緒に蓄積され、ダストフィルタ３０の目詰まりが早くなる。そこで、本実施形態では、ダストフィルタ３０を２層構造に形成すると共に、２層構造の吸入側に排出側より目の粗いフィルタを配置したものである。具体的には、図１３（ｂ）に示すように、空気の吸入側（風の流れの上流側）に目の粗いウレタンフィルタ（例えばポリエーテル系ウレタンフォームのタイプＣＦＨ−５０）３０ａを使用し、排出側（風の流れの下流側）に目の細かいウレタンフィルタ（例えばポリエーテル系ウレタンフォームのタイプＣＦＳ）３０ｂを使用した２層構造とした。なお、本実施形態では、厚みの比率を、目の粗いウレタンフィルタ３０ａを２、目の細かいウレタンフィルタ３０ｂを１としたが、掃除機の性能及びダストボックス１０の形状や大きさ等により任意に選択できる。また、集塵性能を考慮して、３層構造以上の構成も任意に選択できるものとする。以上のように構成することにより、空気の浄化が１層に比べて長期にわたって安定的に行われ、また、ダストフィルタ３０の取換え寿命が大幅に伸び、使用時の負担が低減されるなどの大きな効果が得られる。」
（１１ｄ）「【００４６】
次に、本実施形態の電気掃除機における塵埃及び空気のそれぞれの流れについて説明する。
【００４７】
掃除機本体１の外部から吸引される塵埃を含む空気は、図３に示されるように、連結口４から吸気管１５を通してダストボックス１０内に入り、ダストボックス１０の内壁に沿って旋回する。具体的には、第１サイクロン空間２２内部において、空気が旋回しながら外側フィルタフィクスチャ１１のフィルタ内部へ流れ、分離された塵埃は隙間２１を通って下方に落ち、ダストボックス１０底部の外側集塵部２３に堆積する。
【００４８】
同様に、外側フィルタフィクスチャ１１のフィルタ内部に流れた空気もさらに旋回する。具体的には、第２サイクロン空間４０内部において、空気が旋回しながら遠心分離によって細塵を分離し、分離された細塵は内側フィルタフィクスチャ１２の内壁に沿って下方に落下し、内側集塵部３９に堆積する。」
（１１ｅ）「【００５０】
上記のようにして、ダストボックス１０内で塵埃が濾過された空気は、排気筒２６から吸引されて上蓋２４内部のダストフィルタ３０により更に濾過されたのち、上蓋２４後端の排気口５０より集塵装置２外に出る。そして、掃除機本体１内の連絡通路７を介して電動送風機３に取り込まれる。図４に示したように、電動送風機３から排出される排気は、矢印で示す如く上ケース１ｂの排気スリット１ｃからケースカバー１ｄの排気孔１ｅに至る経路で上方向に風向きが規制され、排気孔１ｅを通過した後も上方向に向かって広がってゆくので、床面の埃の舞い上がりを確実に防ぐことができる。」
（１１ｆ）【図６】、【図７】、【図１３】並びに上記（１１ｃ）、（１１ｅ）の記載から、ダストフィルタ３０は平板状であり、ダストボックス１０内で塵埃が濾過された空気は、ダストフィルタ３０を上方に通過したのち、上蓋２４後端の排気口５０より集塵装置２外に出ることが見てとれる。
　
１２　甲第３号証の２
（１２ａ）「【０００１】
【発明の属する技術分野】
本願発明は、サイクロン式の集塵装置及びそれを用いた電気掃除機に関するものである。」
（１２ｂ）「【００２３】
一方、図５〜図２０等に示すように、集塵装置２は、図８に示す如く横断面形状が略Ｄカット形状に形成されたダストボックス１０の内側に、第１サイクロン筒体となる略円筒状の外側フィルタフィクスチャ（フィルタ枠体）１１と、第２サイクロン筒体となる内側フィルタフィクスチャ１２が配置されており、ダストボックス１０は内部に溜まった塵埃や塵埃の旋回が外から見えるように透明又は半透明の合成樹脂などで形成されている。また、外側フィルタフィクスチャ１１は、図９に示すように、その上部外周面に形成された開口部１３がメッシュ状のフィルタ１４で覆われている。」
（１２ｃ）「【００３０】
また、上記外側フィルタフィクスチャ１１は、ダストボックス１０の上端開口を開閉する上蓋２４の下面を成す中蓋２５に垂れ下がった状態に着脱可能に取り付けられるようになっている。上蓋２４の下面を成す中蓋２５の中央部には、下方に延びる短めの排気筒２６が形成されており、この中蓋２５が当該中蓋２５の外周に装着されたパッキン２７を挟んだ状態で上蓋２４の内壁に嵌合している。
また、中蓋２５とダストボックス１０の上端間も、上記中蓋２５の外周に装着されたパッキン２７によって密閉されるようになっている。すなわち、本実施形態では、図１２等に示すように、ダストボックス１０と中蓋２５と上蓋２４間を１つのパッキン２７で密閉するように構成されている。従来技術で述べた本願出願人が提案したものでは、ダストボックスと中蓋と上蓋間が２〜３個の複数のシール部材で密閉されるようになっていた。シール部材を複数使用する場合、部品点数が増える為、組立工数が増え、また、コストアップや部品検査作業の負担増といった問題が発生し、生産面・コスト面で大きなマイナスとなる。このように、従来、ダストボック１０内の気密性保持の為に複数使用していたシール部材を本実施形態では１個で対応できるようになり、従来負担となっていた組立及び部品検査作業の時間削減や、部品や組立費の低減などで大きな効果が得られる。なお、上蓋２４の上面には取手部２８が設けられている。
【００３１】
また、上蓋２４と中蓋２５との間には、排気筒２６の上部開口（排気口）２９を覆うようにして細塵を濾過するダストフィルタ３０が、中蓋２５の外周上端にパッキン３１を介して配置されるフィルタ枠体３２に装着されて取り付けられている。上記ダストフィルタ３０は、図１３〜図１５に示すように構成されて装着される。ここで、このダストフィルタ３０が目の粗い仕様だと、細塵の中でも小さな塵埃は通ってしまい、逆に目の細かい仕様だと、細塵の中で大きな塵埃も小さな塵埃も一緒に蓄積され、ダストフィルタ３０の目詰まりが早くなる。そこで、本実施形態では、ダストフィルタ３０を２層構造に形成すると共に、２層構造の吸入側に排出側より目の粗いフィルタを配置したものである。具体的には、図１３（ｂ）に示すように、空気の吸入側（風の流れの上流側）に目の粗いウレタンフィルタ（例えばポリエーテル系ウレタンフォームのタイプＣＦＨ−５０）３０ａを使用し、排出側（風の流れの下流側）に目の細かいウレタンフィルタ（例えばポリエーテル系ウレタンフォームのタイプＣＦＳ）３０ｂを使用した２層構造とした。なお、本実施形態では、厚みの比率を、目の粗いウレタンフィルタ３０ａを２、目の細かいウレタンフィルタ３０ｂを１としたが、掃除機の性能及びダストボックス１０の形状や大きさ等により任意に選択できる。また、集塵性能を考慮して、３層構造以上の構成も任意に選択できるものとする。以上のように構成することにより、空気の浄化が１層に比べて長期にわたって安定的に行われ、また、ダストフィルタ３０の取換え寿命が大幅に伸び、使用時の負担が低減されるなどの大きな効果が得られる。
【００３２】
また、上記のように、ダストボックス１０内で分離できなかった細塵の中で大きなものを第１層で捕り、小さなものを第２層で捕るようにした場合、目詰まりは第２層の表面で起こる。ここで、２種類のウレタンフィルタ３０ａ、３０ｂの張り合わせをフィルタ全面で接着して行っている場合、第２層の表面で起こった目詰まりは、水洗いによって目詰まりのない状態に復帰させなければならないので、メンテナンス性に課題が残る。そこで、本実施形態では、図１４に網掛け図示したように、ダストフィルタ３０の２層の張り合わせ部３０ｃを一部分３０ｄを除いた外周側のみの接着とした。このように構成することにより、ダストフィルタ３０が目詰まりした時、２層目表面に溜まった細塵を、接着していない部分３０ｄから落とすことが可能になる。これにより、水洗いすることなくダストフィルタ３０を目詰まりのない状態に復帰させることが可能となり、ダストフィルタ３０のメンテナンス性向上という効果が得られる。」
（１２ｄ）「【００４１】
次に、本実施形態の電気掃除機における塵埃及び空気のそれぞれの流れについて説明する。
【００４２】
掃除機本体１の外部から吸引される塵埃を含む空気は、図３に示されるように、連結口４から吸気管１５を通してダストボックス１０内に入り、ダストボックス１０の内壁に沿って旋回する。具体的には、第１サイクロン空間２２内部において、空気が旋回しながら外側フィルタフィクスチャ１１のフィルタ内部へ流れ、分離された塵埃は隙間２１を通って下方に落ち、ダストボックス１０底部の外側集塵部２３に堆積する。
【００４３】
同様に、外側フィルタフィクスチャ１１のフィルタ内部に流れた空気もさらに旋回する。具体的には、第２サイクロン空間４０内部において、空気が旋回しながら遠心分離によって細塵を分離し、分離された細塵は内側フィルタフィクスチャ１２の内壁に沿って下方に落下し、内側集塵部３９に堆積する。」
（１２ｅ）「【００４６】
上記のようにして、ダストボックス１０内で塵埃が濾過された空気は、排気筒２６から吸引されて上蓋２４内部のダストフィルタ３０により更に濾過されたのち、上蓋２４後端の排気口５０より集塵装置２外に出る。そして、掃除機本体１内の連絡通路７を介して電動送風機３に取り込まれる。図４に示したように、電動送風機３から排出される排気は、矢印で示す如く上ケース１ｂの排気スリット１ｃからケースカバー１ｄの排気孔１ｅに至る経路で上方向に風向きが規制され、排気孔１ｅを通過した後も上方向に向かって広がってゆくので、床面の埃の舞い上がりを確実に防ぐことができる。」
（１２ｆ）【図６】、【図７】、【図１３】並びに上記（１２ｃ）、（１２ｅ）の記載から、ダストフィルタ３０は平板状であり、ダストボックス１０内で塵埃が濾過された空気は、ダストフィルタ３０を上方に通過したのち、上蓋２４後端の排気口５０より集塵装置２外に出ることが見てとれる。
　
１３　甲第３号証の３
（１３ａ）「【０００１】
【発明の属する技術分野】
本発明は、掃除機本体に着脱自在に取付けて使用される集塵カップ、及びこのカップを備えた電気掃除機に関する。」
（１３ｂ）「【００１６】
この集塵カップ４は、図２〜図４に示すようにカップ本体２１、空気導入部３１が形成された蓋３２、及び例えば一対の鉄分別体４１等を備えている。
【００１７】
透明合成樹脂製のカップ本体２１は、図２に示すように上端が開口された有底円筒状をなしていて、その上端開口縁から一体に形成されたカップハンドル２２を有している。カップ本体２１の上端開口は、この本体２１を上下逆様にすることにより内部の塵を排出する開口として使用される。
【００１８】
蓋３２は、空気導入部３１が一体に形成されて、カップ本体２１の上端開口に着脱自在に嵌入して取付けられる合成樹脂製のフレーム３３に、第１フィルタ３４と第２フィルタ３５とを取付けて形成されている。このため、蓋３２は通気性を有している。図１中符号３３ａはカップ本体２１から蓋３２を取外す際に使用されるつまみ部を示しており、このつまみ部３３ａはフレーム３３に一体に形成されている。
【００１９】
空気導入部３１はフレーム３３の周部に寄せて設けられている。この空気導入部３１の上部は蓋３２の上方に向けて開放された空気入口３１ａをなしている。空気導入部３１の下部は、蓋３２がカップ本体２１の上端開口を塞ぐように取付けられた状態で、カップ本体２１の上部内周面に沿うように配置される空気出口３１ｂをなしている。これにより、カップ本体２１内に含塵空気を導入する空気導入部３１は、流通する含塵空気をカップ本体２１の内周面に沿って旋回させるように空気出口３１ｂから流出させる。」
（１３ｃ）「【００２０】
金網などから有底筒状に形成された第１フィルタ３４は、フレーム３３の略中央部に下向きに突出して取付けられている。この第１フィルタ３４よりもメッシュが細かい第２フィルタ３５は、平板状であって、フレーム３３の上面部に装着されている。なお、図１中符号３３ｂは第２フィルタ３５を上側から保持する格子状のフィルタ押えを示している。」
（１３ｄ）「【００２５】
前記構成の集塵カップ４は、既述のように閉じ位置のケース蓋８と載置部１０との間に挟まれて掃除機本体２に取付けられる。これにより、図１に示すように集塵カップ４の空気入口３１ａがケース蓋８の吸塵口１７の下流側に接続され、かつ、集塵カップ４の出口をなした上端開口を塞いで取付けられた第２フィルタ３５が、吸気路１５の入口１５ａに接続される。吸気路１５の出口１５ｂは電動送風機３の吸気口３ａに連通される。
【００２６】
このため、吸塵口１７に気流ガイドなどを接続して電動送風機３を動作させることにより、空気導入部３１を通ってカップ本体２１内に導入された含塵空気が、カップ本体２１の内周面に沿って旋回しつつ下向きに流動した後に、カップ本体２１の略中央部で反転上昇して蓋３２を通って吸気路１５に流入し、この吸気路１５から電動送風機３に吸込まれる。
【００２７】
こうした気流の流れによって集塵カップ４内ではサイクロン式の集塵が行なわれる。この集塵では、空気中の重い塵が、遠心力によってカップ本体２１の内周面に押し付けられて、空気から分離される。反転上昇する気流中に含まれる軽い塵は、第１、第２のフィルタ３４、３５によって捕捉される。この集塵において、集塵カップ４内に吸込まれた空気中に鉄粉や鉄の小片等の鉄塵が混入されている場合、この鉄塵も遠心力によってカップ本体２１の周壁部内面に押し付けられる。」
（１３ｅ）【図１】及び上記（１３ｃ）、（１３ｄ）の記載から、第１フィルタ３４は空気が旋回するカップ本体２１内に位置し、第１フィルタ３４を通過した空気は、平板状の第２フィルタ３５を上方に通過したのち、吸気路１５に流入することが見てとれる。
　
１４　甲第３号証の４
（１４ａ）「【０００１】
【発明の属する技術分野】本発明は、吸込風から塵埃を分離する集塵装置およびこれを備えた電気掃除機に関する。」
（１４ｂ）「【００１３】図１ないし図３において、11は掃除機本体で、この掃除機本体11は、重力により塵埃を分離するいわゆるサイクロン方式であり、床面を走行可能である。また、この掃除機本体11は、中空なケース体12と、このケース体12の上部前側に後部が回動可能に連結して回動によりこのケース体12の前側上部を開閉可能に覆う蓋体13とを備えた本体ケース14を有している。さらに、ケース体12の内部には、図１に示すように、駆動手段としての電動部である電動送風機15が収容、すなわち搭載されている。また、このケース体12の前後方向の略中心域には、電動送風機15の排気側に連通した本体排気口16がこのケース体12の前方に向けて開口されている。」
（１４ｃ）「【００１７】一方、本体ケース14のケース体12のカップ保持部18と蓋体13との間である電動送風機15の吸込側には、この電動送風機15による吸込風とともに吸い込んだ塵埃を内部で旋回させて、この塵埃を自重による遠心分離により落下させて集塵する集塵装置としてのダストカップ31が着脱可能に取り付けられている。
【００１８】また、このダストカップ31は、図１および図３に示すように、電動送風機15にて吸い込まれた吸込風が取り込まれ、この吸込風とともに吸い込まれた塵埃を集塵し、一端である上端に開口部32が形成された有底円筒状の集塵部としてのカップ部33を備えている。このカップ部33の開口部32には、ケース体12と蓋体13との間にダストカップ31を取り付けた際に、この蓋体13の本体吸込口21の基端側に気密に連通する吸気口34を備えた塵埃分離部としての風向制御部である略円筒状のサイクロン部35が取り付けられている。このサイクロン部35の下端は、カップ部33とこのサイクロン部35との間でありこれらカップ部33とこのサイクロン部35とを区画する分離壁36が形成されている。
【００１９】さらに、このサイクロン部35の外周部には、吸気口34から吸い込んだ吸込風を旋回させる旋回風構成部としてのサイクロン構成部37が形成されている。このサイクロン構成部37には、このサイクロン構成部37にて旋回させた旋回風をカップ部33の内部へと導く図示しない旋回風流出口が開口されている。この旋回風流出口は、サイクロン部35の外側域に位置しており、カップ部33内と吸気口34とを連通させる。」
（１４ｄ）「【００２１】そして、この連通口38の上方には、排気口41が開口されている。この排気口41は、連通口38を通過したカップ部33からの吸込風が排気される。さらに、この排気口41には、捕捉手段としての集塵フィルタである略有底円筒状のネットフィルタ42が取り付けられている。このネットフィルタ42は、外周面の上端部にこの外周全域に沿ってこのネットフィルタ42の径方向に突出したフランジ部42aが設けられており、このフランジ部42aが排気口41の上側に係合することにより、排気口41から取り外し可能に取り付けられている。
【００２２】また、このネットフィルタ42は、サイクロン部35からカップ部33に亘って下方に向けてこのカップ部33の高さ方向の略中心域まで突出し、カップ部33から連通口38を介して排気口41へと排気される吸込風から微細な細塵を捕捉する。また、このネットフィルタ42は、上側から下側へ向かって径小となるように形成されている。さらに、このネットフィルタ42の下側は、外径がシールパッキン39の内径よりも大きく形成されており、このシールパッキン39の内周に上側から下側へと挿通されている。このため、シールパッキン39の内周の先端がこのネットフィルタ42の外周面に当接して下方へと押しやられており、このシールパッキン39にてこのネットフィルタ42の外周面と分離壁36の中心部に設けられた連通口38との隙間が気密に閉塞されている。」
（１４ｅ）「【００２３】またさらに、排気口41の上方であるダストカップ31の上端には、この排気口41を通過する吸込風に漂う塵埃、すなわちネットフィルタ42では捕捉できなかったさらに微細な細塵を捕捉する細塵捕捉手段としての補助フィルタ43が取り外し可能に取り付けられている。
【００２４】そして、サイクロン構成部37の排気口41は、蓋体13の下端面に設けられた細長凹状の連通凹部44を介して、ケース体12の前側に開口した通気口45により、このケース体12内の電動送風機15の吸込側に気密に連通される。さらに、ダストカップ31のカップ部33の外側面には、一端である上端が上端外周面に連続して設けられ他端である下端が自由端である取手部としてのハンドル部46が一体的に設けられている。」
（１４ｆ）「【００３２】さらに、この吸気口34へと吸い込まれた吸込風は、この吸気口34からサイクロン部35のサイクロン構成部37へと吸い込まれて、このサイクロン構成部37の内部で渦巻き状に回転して旋回風となった後、このサイクロン構成部37の旋回風流出口を通過して、カップ部33の内部へと吸い込まれる。
【００３３】このとき、ネットフィルタ42がカップ部33の略中心部に突出していることにより、このネットフィルタ42の外周面とカップ部33の内周面との間に風路が形成され、このカップ部33に吸い込まれた吸込風がこの風路に沿って移動し、このカップ部33内に渦巻き状の旋回風がより強く発生する。
【００３４】そして、このカップ部33内での吸込風の旋回により、この吸込風とともに吸い込まれた塵埃が自重による遠心分離にてカップ部33内に落下して、このカップ部33内に集塵される。
【００３５】さらに、このカップ部33内で旋回した吸込風は、このカップ部33の底部中央域からサイクロン構成部37の連通口38に挿通されたネットフィルタ42を通過する。このとき、カップ部33内での遠心分離では分離できなかった微細な塵埃がネットフィルタ42にて捕捉されるとともに、カップ部33内に集塵された塵埃が連通口38を介してこのカップ部33の外部へと排出されることを防止する。」
（１４ｇ）「【００３８】この後、このネットフィルタ42を通過した吸込風は、排気口41を介してダストカップ31の上端に取り付けられた補助フィルタ43を通過する。このとき、ネットフィルタ42で捕捉できなかったさらに微細な細塵がこの補助フィルタ43に捕捉される。
【００３９】そして、この補助フィルタ43を通過した吸込風は、蓋体13の連通凹部44およびケース体12の通気口45を介して電動送風機15の吸込側へと吸い込まれて、この電動送風機15を通過して排気風となり、本体排気口16から外部へと排気される。」
（１４ｈ）【図１】及び上記（１４ｅ）、（１４ｆ）、（１４ｇ）の記載から、補助フィルタ43は平板状であり、ネットフィルタ42を通過した空気は補助フィルタ43を上方に通過して蓋体13の連通凹部44に吸い込まれることが見てとれる。
　
１５　甲第３号証の５
（１５ａ）「【０００１】
　本発明は、吸気を旋回流にすることにより遠心分離により塵埃を含む空気中から塵埃を分離するサイクロン方式の集塵部を備えた電気掃除機に関する。」
（１５ｂ）「【００２３】
　（参考例）
　図２は、本発明に関する参考例に係る集塵ケース１１及びその構成を示すもので、本体ケース６０の前方側に着脱可能に装着されている。集塵ケース１１は、吸気された塵埃を含む空気を誘導流路１４に通して形成した旋回流による遠心力によって空気中から塵埃を分離する塵埃分離室１５と、この塵埃分離室１５から流入した塵埃を収容する塵埃収容室１６と、この塵埃収容室１６の空気を略中央部上方から吸気して前記塵埃分離室１５の空気と共に吸気流路２６に流入させる吸気筒２５と、この吸気筒２５の同心円上を軸心方向に移動可能に配設され、吸気筒２５の側周面の軸方向に形成された開口部に設けられたフィルタ２１に接するように内周面にブラシ毛（除塵体）２２が取り付けられた外筒１７と、この外筒１７の下端と一体に形成されて塵埃分離室１５と塵埃収容室１６との間を区画して外筒１７の軸心方向への移動により塵埃収容室１６内に進退移動する圧縮板１８とを備えて構成されている。
【００２４】
　本体ケース６０に形成された吸気口２０には前記ホース継ぎ手５が連結され、本体ケース６０内に配設された電動送風機６１が駆動されると、前記吸込具３から吸入された塵埃を含む空気は前記吸気口２０から塵埃分離室１５内に流入する。図３は塵埃分離室１５の水平方向断面を示すもので、誘導流路１４によって流入した空気は略円筒形の塵埃分離室１５の接線方向に導かれると共に、流路断面積が狭められることによって流速が増し、高速の旋回流となって塵埃分離室１５の内周面に沿って下向き傾斜の流路を流れ、空気中の塵埃が遠心分離によって分離され、一部の空気と共に流入口２７から塵埃収容室１６内に流入する。塵埃分離室１５内の旋回流の中心部分の空気は塵埃がほとんど無い状態になっているが、第２フィルタ２４を通って細かい塵埃が濾過され、吸気流路２６から電動送風機６１に吸引される。」
（１５ｃ）「【００２５】
　略円筒形に形成された塵埃収容室１６内に内周壁面に沿うように流入した塵埃のうち、質量の大きい砂ゴミ等の塵埃は塵埃収容室１６の底面周囲に集まり、質量の小さい綿ゴミ等の塵埃は旋回する空気の流れと共に旋回し、電気掃除機１の運転が停止されたときに塵埃収容室１６の底に堆積する。塵埃収容室１６の略中央上方には吸気筒２５に向かう吸引力が働いているので、塵埃収容室１６内の空気は旋回する流れが弱まった底部側から中央に引き寄せられて上昇し、吸気筒２５の底面に設けられた第１フィルタ１９で微細な塵埃が濾過され、塵埃分離室１５内からフィルタ２１を通って吸気筒２５内に入った空気と共に吸気筒２５内から第２フィルタ２４を通って吸気流路２６から電動送風機６１に吸引される。」
（１５ｄ）「【００２６】
　前記吸気筒２５は、図３及び図４に示すように、側周面に円筒形の軸心方向にフィルタ２１を設けた複数の開口部が形成されている。吸気筒２５はフィルタ２１を設けた開口部から塵埃分離室１５の空気を吸引するので、遠心分離されなかった微細な塵埃がフィルタ２１に付着するが、それを除去する作業がし難い位置にある。また、塵埃収容室１６に堆積する塵埃のなかで繊維質のものは、ふんわりとして嵩高い状態で堆積し、塵埃収容室１６の塵埃収容容積を占拠するので吸塵量を低下させることになる。塵埃収容室１６の容積を拡大させると吸塵量を増加させることができるが、徒に掃除機本体７を大型化させ、小型軽量化の要求にそぐわないものとなる。」
（１５ｅ）【図２】及び上記（１５ｂ）、（１５ｃ）の記載から、第２フィルタ２４は平板状であり、吸気筒２５に入った空気は第２フィルタ２４を上方に通過して吸気流路２６から電動送風機６１に吸引されることが見てとれる。
１６　甲第７号証
（１６ａ）「【請求項２７】
　吸引入り口およびゴミカップ受け取り部を有するハウジング、
　上記ゴミカップ受け取り部に受け取られたゴミカップ、
　上記ゴミカップに受け取られたフィルター、
　上記ハウジングに支持され、かつ上記吸引入り口および上記ゴミカップと流体連絡するように配設された吸引発生装置であって、空気を吸引入り口に取り込み、かつ上記フィルターに吸引することによってゴミ屑を上記ゴミカップに捕集する吸引発生装置、
　上記フィルターに係合し、ゴミ屑を振動によってふるい落とす回転クリカー、および
　上記回転クリカーを駆動するモータを有することを特徴とする床クリーナ装置。」 
（１６ｂ）「【０００３】 
　ゴミ回収容器については、多くの場合、この容器に円筒形の側壁および向きが接線方向にある空気取り入れ口を配設することによって、サイクロン状の空気流れを発生するように設計されている。この構成では、空気がゴミ回収室を中心にしてサイクロン状に旋回する。遠心力が発生し、これがゴミや屑をゴミ回収室の円筒形側壁に向かわせ、比較的クリーンな空気をゴミ回収室の中心からフィルターを介して吸引発生装置に送り込むことができる。
【発明の開示】
【発明が解決しようとする課題】
【０００４】
　大半の掃除条件下では、ゴミ屑のほとんどかすべてがサイクロン状の空気流れによって空気流から除去されるが、若干のゴミ屑が空気流に連行されたままになることもある。例えば、この残留ゴミ屑は、サイクロン状の空気流れが発生する遠心分離力が作用しない軽量の比較的細かいゴミ粒子からなる。時間が経過するうちに、細かな粒子は連行され、フィルター媒体の孔を詰まらせ、空気流れを制限するため、真空掃除機の掃除効率が低下することになる。最後には、真空掃除機の掃除効率が落ちるため、フィルターを洗浄するか、あるいは交換し、掃除レベルを望むレベルに回復する必要がある。本発明は、より効率が高く、またより有効なフィルタークリーニング機構を備えた真空掃除機に関する。本発明は、特に細かい粒子を始めとするゴミ屑をフィルター孔から迅速かつ簡単に取り除くことができる作用効果をもつ。この結果、各フィルターの可使寿命が延び、従って、この延びた可使期間全体にわたって真空掃除機をより高い掃除効率で使用することができる。」
（１６ｃ）「【００１６】
　本明細書の一部として組み込まれ、かつこの一部を構成する添付図面に、本発明のいくつかの態様を示すが、これらを参照しながら以下の説明を読めば、本発明の原理を理解できるはずである。
　図１に、本発明の床クリーナ装置１０を示す。図示の実施態様の場合、床クリーナ装置１０は、直立式真空掃除機である。なお、この掃除機１０は、キャニスター式真空掃除機、手持ち式真空掃除機として、あるいはエクストラクターとして簡単に設計変更することができる。」
（１６ｄ）「【００１９】
　図２からよく理解できるように、ゴミ回収容器３０はゴミカップ部分３６および蓋部分３８を有する。ゴミカップ部分３６は、段差のついた側壁３５および底壁３７を有し、そして蓋部分３８は、第１要素４０、第２要素４２および第３要素４３を有する。第１要素４０は、ゴミ混じり空気入り口４４およびフィルターキャビティー４６を有する。第２要素４２は、クリーンな空気の出口４８およびクリーンな空気の入り口５０を有する。
【００２０】
　フィルター５２は、第１要素４０のフィルターキャビティー４６に受け取られる。フィルター５２は、側壁５４、ハブ５６、およびハブと側壁との間に配設した複数の仕切り部分５８を有する（図７も参照）。仕切り板５８は、フィルター５２を複数の部分６０に分割する作用をもつ。よく知られているタイプのフィルター媒体６２を側壁５４、ハブ５６および各部分６０を構成する仕切り板５８の間に配設する。
【００２１】
　内側支持体６４は、底壁３７からゴミカップ部分３６内側に配設する。この内側支持体６４に、プレフィルター６６を設ける。プレフィルター６６は、一連の吸気開口６８を有し、これら開口が、以下詳しく説明する態様で空気流れを作る。
【００２２】
　図示の態様の場合、ゴミ回収容器３０については、サイクロン状の空気流れを発生し、これによって遠心力を使用し、ゴミ屑を空気流から取り除く効率を改善するように設計構成する。即ち、図２に明示するように、ゴミカップ部分３６、蓋部分３８、内側支持体６４、プレフィルター６６およびフィルター５２についてはほぼ円筒形に構成する。図３および図５に示すように、内側支持体６４およびプレフィルター６６については、ゴミカップ部分３６の側壁３５内に同心円状に装着する。また、フィルター５２については、蓋部分３８の第１要素４０のフィルターキャビティー４６内に同心円状に装着する。ゴミ混じり空気の入り口４４については、（ａ）外側の第１要素４０および側壁３５と（ｂ）内側の内側支持体６４およびプレフィルター６６との間に形成した環状スペースＳに接線方向に設ける。空気流は、円形パターンまたは渦巻パターンで環状スペースＳの周囲に流れ、遠心力を発生する。この遠心力が、空気流内のゴミ屑を側壁３５に向けて外側に流動させ、これによってゴミ屑をゴミカップ部分３６に集める。同時に、フィルター５２を介して方向が上向きになっている、環状スペースＳの内壁にそってプレフィルター６６に設けられた吸気開口６８から比較的クリーンな空気が流れ込む。具体的には、ゴミ混じり空気は、フィルター媒体６２を通過するさいに、空気流中に残っている細かなゴミ屑があればこれを捕集する。一方、クリーンな空気はフィルター媒体を通過し、クリーンな空気の出口４８から吸引発生装置３２に流れる。床クリーナ装置の通常使用時の空気流れの方向は、図３の矢印で示す方向である。」
（１６ｅ）「【００３０】
　床クリーナ装置の動作が続くと、環状スペースＳのサイクロン作用によって空気流から除去されない細かなゴミ粒子が空気流から追い出され、フィルター５２のフィルター媒体６２によって捕集される。時間が経つうちに、これら細かなゴミ粒子がフィルター媒体６２のフィルター孔に詰まり始め、空気流れが細くなる。この結果、吸引発生装置３２のモータが熱くなり、効率が下がるだけでなく、空気流れが細くなり、床クリーナ装置のクリーニング効率に悪影響を与えることになる。結果として、空気流れが細くなりすぎ、床クリーナ装置が適正に働かなくなる。この場合には、フィルター５２をクリーニング処理するか、交換する必要がある。
【００３１】
　本発明の場合、このフィルター５２をその場でクリーニング処理できるため、きわめて便利であり、また効率がよい。具体的に説明すると、ステッパモータ８４を始動し、相互に噛み合う駆動ギア８０、８２によって空気案内部材８６を４５°の円弧軌道で回動させる。これは、空気案内部材８６を回動するように作動し、それにより、その出口９０がフィルター５２の部分６０の一つと正確に一致させる。第１駆動ギア８０が回動すると同時に、第１カム７８が図４に示す位置から図６に示す位置まで回動する。この回動が生じると、カムフォロワー７６が第１カム７８の上までせり上がり、第１流れ弁７２がピン７４を中心に回動し、クリーンな空気の入り口５０に接続する対向口７３が開く。
【００３２】
　ステッパモータ８４により駆動ギア８０、第１カム７８および空気案内部材８６が回動すると、第２カム９８も回動する。第２カムフォロワー１００がカム９８の上に乗り上げ、第２流れ弁９２を持ち上げる。すると、その上縁部が吸気開口６８の上方でその全周にわたってプレフィルター６６に係合する。なお、対向口７３が第１流れ弁７２の作用により開くと、第２流れ弁９２がプレフィルター６６からクリーンな空気の出口４８への空気の流れを遮断する。従って、吸引発生装置３２が対向口７３およびクリーンな空気の取り入れ口５０を介してクリーンな空気を取り入れる。次に、この空気は、空気案内部材８６の入り口８８から取り込まれ、その出口９０で方向を変え、上記出口と位置が一致しているフィルター５２の部分６０に向かう。クリーンな空気が掃除機の通常の動作方向とは逆方向にフィルター５２の所定部分６０に流れるため、ゴミ（特にフィルター孔からの細かいゴミ）がフィルター媒体６２から追い出されることになる。クリーン処理すべきフィルター５２の各部分６０から追い出されたゴミは、内側支持体６４の粒子トラップ１２０に取り込まれる。これは、大部分が、支持体の形状によるものである。即ち、実質的に円筒形の下端１２４に、この下端のよりも円周方向の開口が小さい中間ボトルネック部分１２６によって接続されている円錐台形上端１２４を有する支持体の形状によるものである。次に、比較的クリーンな空気が、案内部材８６の出口９０に位置が一致していないフィルター５２の他の部分６０に逆流してから、導管４８を通って、吸引発生装置３２に流れる。
【００３３】
　なお、空気案内部材の出口９０は円弧状であり、その幅はフィルター５２の一部分６０相当である。本実施態様のこの部分の円弧角度は４５°である。即ち、空気案内部材８６と位置が一致しないフィルター５２の他の部分の円弧角度が３１５°であることを意味する。これは、空気が最初に通過する４５°の円弧と比較した場合、横断面がはるかに大きいことを意味する。この結果圧力が低下するため、空気案内部材８６と位置が一致しているフィルターの部分６０からクリーニング処理されたゴミ屑が、空気流から落下し、支持体６４の粒子トラップ１２０に取り込まれ、保持されることを確実にできる。従って、クリーニング処理サイクル時に、フィルター５２の所定部分６０からクリーニング処理された細かなゴミ屑粒子がフィルターの他の部分に付着することがなくなる。
【００３４】
　クリーニング処理サイクルは、例えば約１秒〜約３０秒であればよく、特に約３秒〜約１５秒であればよい。次に、ステッパモータ８４を再び始動させ、第１駆動ギア８０、第２駆動ギア８２、第１カム７８、第２カム９８を回動し、これによって第１流れ弁７２を開放位置から閉鎖位置に移動させるとともに、第２流れ弁９２を閉鎖位置から開放位置に移動させる（即ち、流れ弁７２、９２を図５、図６に示す位置から図３、図４に示す位置にもってくる）。こうすると、床クリーナ装置１０が正常動作に戻り、吸引口１８からゴミ混じり空気入り口４４を介してゴミ屑をゴミ回収容器３０に回収する。サイクロン状の空気流れが遠心力を利用して、ゴミ屑を空気流から効率よく取り除く。ゴミ屑は、比較的クリーンな空気がプレフィルター６６の吸気開口６８が取り込まれている間、ゴミカップ部分３６の環状スペースＳに捕集される。この空気は、次に、流路１１６を通ってフィルター５２に流れ、細かな粒子が残留している場合には、これを空気流が取り去り、この後出口４８を通過して、吸引発生装置３２に移動する。次に、空気流が吸引発生装置３２のモータを冷却してから、排出口を介して環境中に戻される。なお、ステッパモータ８４は、簡単に始動することができるため、床クリーナ装置の使用者の判断によって、通常の掃除モードに戻る前に、任意の数のフィルター部分６０をクリーニング処理することができる。」
（１６ｆ）「【００３５】
　図８に、フィルター５２のクリーニング性をさらに改善することができる本発明の作用効果を示す。クリカー（ｃｌｉｃｋｅｒ）１３０を設けることができる。図示の実施態様では、このクリカーは、蓋部分３８に固着したスタブシャフト１３２の保持した細長い取り付けアーム１３１を有する。このアーム１３１の両端に弾性作用フラップ１３４を設ける。図８に示すように、フラップ１３４の先端が、側壁５４とハブ５６の間にあるフィルター５２の媒体６２に係合する。駆動モータ１３６を配設する。図８に実線で示すように、駆動モータをクリカー１３０に接続し、これを始動すると、蓋部分３８およびフィルター５２に対してクリカーを回動することができる。クリカー１３０が回動すると、フラップ１３４の先端が、リブ付きフィルター材料６２の頂部に係合し、これによってフィルター材料を振動させ、フィルター孔からゴミ屑を効率よくふるい落とす。振動作用単独でも良好なクリーニング作用を確保できるが、前述の空気圧によるクリーニング機構を併用するのが特に好適である。
【００３６】
　図８に示す別な実施態様の場合、（図８に点線で示す）駆動モータをフィルター５２に接続する。この構成では、クリカー１３０および蓋部分３８を静止状態においた状態で、フィルター５２を回動する。作用効果は、フィルターの回動時に、フラップ１３４の先端をリブ付きフィルター媒体６２の頂部に係合させ、これによってこの媒体を振動させ、ゴミ屑をこれからふるい落とす場合と同じである。」
（１６ｇ）　【図２】には床クリーナ装置のゴミ回収容器、フィルター及び流れ制御弁装置を展開して示す斜視図が示され、【図３】には通常の掃除を行う第１位置におけるゴミ回収容器、フィルター及び流れ制御弁装置を示す横断面図が示され、【図５】にはフィルターの一つの部分のクリーニング処理を行う第２位置における流れ制御弁装置を示す横断面図が示され、【図８】にはゴミ回収容器内で、取り出すことなくフィルターをクリーニング処理してゴミ屑をふるい落とすために使用することができる別なフィルタークリーニング処理特徴を示す概略図が示されている。
（１６ｈ）　【図２】、【図３】及び【図８】の記載からすると、ゴミ回収容器３０の内側支持体６４のプレフィルター６６の吸気開口６８を介して排気された空気を濾過して排気するフィルター５２の上に、前記フィルター５２にて濾過されたゴミ屑をクリーニングするクリカー１３０を有することが見てとれる。
第７　当審の判断
１　無効理由３について
　事案に鑑み、まず無効理由３について検討する。
（１）　請求人の主張（平成２７年６月１９日付け審判事件弁駁書「７．（２）」）
ア　請求項１中の「前記上部フィルタユニットの上に設けられたフィルタ除塵部材」という記載は、「フィルタ除塵部材」が「上部フィルタユニット」の上に設けられていることが理解できるが、「フィルタ除塵部材」がどのような働きを有するのかが明確でない。「フィルタ除塵部材」との用語から「フィルタを除塵する部材」であるとの理解ができるが、どのフィルタを除塵するか、どのように除塵するのかが明確でない。
イ　請求項１中の「前記内筒は前記ダストカップの底まで延びて前記ダストカップの底と嵌合し、」という記載により、被請求人が主張する「内筒フィルタがダストカップの底と嵌合するため、この部分での空気に漏れを防止することができる。また、上部フィルタユニットから落下して内筒内のダストカップ底に溜まった塵埃が内筒外へ漏れることを防止できる。」という効果をなぜ奏するのか不明確である。例えば、内筒がダストカップの底と嵌合するものの両者の間に隙間があれば、上記効果を奏することはありえない。この点、本件明細書の段落【００２４】には、環状のシール部材１１ｂが設けられ、この環状のシール部材１１ｂが内筒とダストカップの底との隙間を埋めるために、上記効果を奏することが記載されている。すなわち、上記記載では、上記のような効果を奏することができない。
（２）　被請求人の主張（平成２７年７月３１日付け審判事件答弁書「７．（１）」）
ア　「前記上部フィルタユニットの上に設けられたフィルタ除塵部材」という記載について、フィルタ除塵部材は上部フィルタユニットの上に設けられるため上部フィルタユニットを除塵することは明らかである。また、「フィルタ除塵部材」は「フィルタを除塵する部材」であるから、具体的な除塵方法に関しては技術常識の範囲内の方法で除塵するものであると理解することができる。
イ　「前記内筒は前記ダストカップの底まで延びて前記ダストカップの底と嵌合し」という記載に関しては、発明の構成と効果との関係をより明確にするために、「前記内筒と前記ダストカップの底との間の空気の漏れを防止するシール部材」という限定事項をさらに追加している。「前記内筒は前記ダストカップの底まで延びて前記ダストカップの底と嵌合し」かつ、「前記内筒と前記ダストカップの底との間の空気の漏れを防止するシール部材」が設けられることで、空気の漏れを防止することができる。
ウ　よって、請求項１及び２に係る発明は明確である。
（３）　当審の判断
ア　「前記上部フィルタユニットの上に設けられたフィルタ除塵部材」という記載について、請求項１中の「比較的小さい塵埃を捕集するフィルタが設けられた上部フィルタユニット」という記載から、「上部フィルタユニット」には比較的小さい塵埃が捕集されていることがまず理解できる。そして、「フィルタを除塵する部材」であると理解できる「フィルタ除塵部材」が当該「上部フィルタユニット」の上に設けられているのであるから、その配置からみて、「フィルタ除塵部材」は、「上部フィルタユニット」に捕集されている比較的小さい塵埃を除塵するものであると理解できる。
　また、「フィルタ除塵部材」という記載は、「フィルタを除塵する」という機能を特定した「部材」であって、当該機能を果たす具体的な形状や構造までを特定したものではないものとして理解することができる。そして、その機能が特定されれば、発明を理解することができるのであり、発明を理解するのにその具体的形状や構造まで必要とするものではない。
イ　「前記内筒は前記ダストカップの底まで延びて前記ダストカップの底と嵌合し」という記載は、請求項１中の「前記内筒と前記ダストカップの底との間の空気の漏れを防止するシール部材をさらに備える」という記載とともにみれば、「内筒フィルタがダストカップの底と嵌合するため、この部分での空気に漏れを防止することができる。」という効果は把握することができる。
ウ　よって、請求項１及び２に係る発明は、不明確であるとはいえない。
（４）　まとめ
　以上のとおりであるから、本件特許は、請求項１及び２の記載が特許法３６条６項２号に規定する要件を満たさないとはいえず、同法１２３条１項４号に該当しない。
　よって、本件発明１及び２についての特許は、無効理由３により無効とすることはできない。
２　無効理由１について
（１）本件発明と甲１発明との対比
　本件発明と甲１発明とを対比する。
　甲１発明の「掃除機本体１」、「吸込ホース」、「吸込管」及び「吸込具」は、その機能と構造からみて、本件発明１の「掃除機本体部」、「接続ホース」、「接続管」及び「吸気口部」に相当する。よって、甲１発明の「掃除機本体１の前端面の連結口４には、一連の吸込ホース、吸込管および吸込具が連結されて」いる「キャニスタタイプの電気掃除機」は、本件発明１の「掃除機本体部は、吸気口部、接続管、接続ホースを備え、前記掃除機本体部は前記掃除機本体部の前端に接続された前記接続ホースと前記接続管を介して前記吸気口部に接続される電気掃除機」に相当する。
　また、甲１発明の「サイクロン式のダストボックス２」は、その機能からみて、本件発明１の「サイクロン集塵装置」に相当する。
　そして、甲１発明の「ダストボックス本体５」は、本件発明１の「ダストカップ」に相当し、甲１発明の「ダストボックス２の側面に」「突設され」た「吸気管１５」の「先端側開口１６」は、「掃除機本体１の外部から吸入された塵埃を含む空気」が導入される箇所であるから、本件発明１の「塵埃を含む旋回気流を導入する導入口」に相当する。
　また、甲１発明の「ダストボックス本体５の上端開口を閉塞する上蓋部１４」「後端の排気口３０」は、「ダストボックス本体５で塵埃が濾過された空気」を「上蓋部１４内部の円筒状フィルタ２９によりさらに濾過」して「ダストボックス２外に出」す箇所であるから、本件発明１の「空気の出口となる開口」及び「前記空気の出口となる前記サイクロン集塵装置の開口部」に相当する。
　また、甲１発明の「ダストボックス本体５」は、「塵埃を含む空気は、吸気管１５を通してダストボックス２内に入り、ダストボックス本体５の内壁に沿って旋回しながら外側フィルタ９内部へ流れ、大きな塵埃はダストボックス本体５底部の空間部２６に堆積」させ、「外側フィルタ９内部へ流れた空気は旋回しながら内側フィルタ１２内部へ流れ、塵埃はダストボックス本体５底部の空間部２８に堆積」させているから、本件発明１の「旋回気流により塵埃を集塵するダストカップ」に相当する。
　また、甲１発明の「略円筒状の外側フィルタ部６」は、「外側筒状部材８と、該外側筒状部材８側面に形成された複数本のスリット８ａ及び当該スリット８ａの周囲を被覆する外側フィルタ９とから」なるところ、甲１発明の「略円筒状の外側フィルタ部６」及び「外側フィルタ９」は、本件発明１の「内筒」及び「内筒フィルタ」に相当する。
　そして、甲１発明において、「掃除機本体１の外部から吸入された塵埃を含む空気」は、「ダストボックス本体５の内壁に沿って旋回しながら」、「外側フィルタ部６」の「該外側筒状部材８側面に形成された複数本のスリット８ａ及び当該スリット８ａの周囲を被覆する外側フィルタ９」を介して「外側フィルタ９内部へ流れ」、さらに、その内側に「同心状に配置され」た「内側フィルタ部７」の「内側フィルタ１２」及び「内側筒状部材１１の上方開口を通って」「ダストボックス２外に出て」いくものであるところ、「掃除機本体１の外部から吸入された塵埃を含む空気」が、「ダストボックス本体５の内壁に沿って旋回しながら」、ダストボックス本体５の中心に位置する「内側筒状部材１１の上方開口を通って」「ダストボックス２外に」排気されるためには、「外側フィルタ部６」の「該外側筒状部材８側面に形成された複数本のスリット８ａ及び当該スリット８ａの周囲を被覆する外側フィルタ９」を通過させる必要があるから、甲１発明の「外側フィルタ部６」の「該外側筒状部材８側面に形成された複数本のスリット８ａ」及び「当該スリット８ａの周囲を被覆する外側フィルタ９」は、本件発明１の「前記ダストカップの中心部から排気するための内筒排気口」及び「該内筒排気口を通過する空気を濾過する内筒フィルタ」に相当する。
　そして、甲１発明の「外側フィルタ部６」の「外側フィルタ９」を通過して、「ダストボックス本体５で塵埃が濾過された空気は」、「上蓋部１４内部の円筒状フィルタ２９によりさらに濾過されたのち、上蓋部１４後端の排気口３０よりダストボックス２外に出」ることは、本件発明１の「前記内筒フィルタで濾過された後の空気は、前記内筒を通じて前記上部フィルタユニットに導かれ」、「前記内筒フィルタを経た空気は前記上部フィルタユニットを通過」することに相当する。
　また、甲１発明において、「外側フィルタ部６および内側フィルタ部７は、ダストボックス本体５の上端開口を閉塞する上蓋部１４の下面に垂れ下がった状態に固着され」、「円筒状フィルタ２９」は、「上蓋部１４内部に収納され」ているから、甲１発明の「円筒状フィルタ２９」は、「外側フィルタ部６及び内側フィルタ部７」の上部に配置されているといえ、また、該「円筒状フィルタ２９」は、「ダストボックス本体５で塵埃が濾過された空気」を「さらに濾過」するものである。よって、甲１発明の「円筒状フィルタ２９」は、本件発明１の「前記内筒フィルタを経た空気をさらに排気することにより比較的小さい塵埃を捕集するフィルタが設けられた上部フィルタユニット」に相当する。
　そして、甲１発明の「上蓋部１４後端の排気口３０よりダストボックス２外に出」た「空気」を「電動送風機３に取り込ま」せる「掃除機本体１の連絡通路３１」は、本件発明１の「電動送風機を内蔵した前記掃除機本体部の上部に空気を導くダクト部」に相当し、また、甲１発明の「連絡通路３１」は、その構造上、ダストボックス２からの空気を受け入れる開口部があることは明らかであるから、本件発明１の「前記掃除機本体部に設けられて前記サイクロン集塵装置からの空気を受入れるダクト開口部」を有する「前記ダクト部」に相当する。
　そして、甲１発明の「サイクロン式のダストボックス２」は「掃除機本体１の前部に形成されたダストボックス収容部１ｆに」「上方から挿入されることにより着脱自在に設けられ」ていることは、本件発明１の「前記サイクロン集塵装置は、前記掃除機本体部に着脱可能に設けられる」ことに相当する。
　そして、甲１発明の「ダストボックス本体５の底部の底蓋２１には、底蓋２１に沿って空間部２６から空間部２８へ空気が洩れることがないように、外側フィルタ部６の外側筒状部材８の下端縁と底蓋２１とのあいだの隙間を閉塞するためのパッキン３６が設けられ、外側筒状部材８の下端縁は、底蓋２１にパッキン３６を介して嵌合している」ことは、本件発明１の「前記内筒は前記ダストカップの底まで延びて前記ダストカップの底と嵌合し」、「前記内筒と前記ダストカップの底との間の空気の漏れを防止するシール部材さらに備える」ことに相当する。
　
（２）一致点・相違点
　よって、本件発明１と甲１発明とは、
「掃除機本体部は、吸気口部、接続管、接続ホースを備え、前記掃除機本体部は前記掃除機本体部の前端に接続された前記接続ホースと前記接続管を介して前記吸気口部に接続される電気掃除機であって、
　前記掃除機本体部は、
　塵埃を含む旋回気流を導入する導入口および空気の出口となる開口を有し、
　旋回気流により塵埃を集塵するダストカップと、
　前記ダストカップの中心部から排気するための内筒排気口が形成され、該内筒排気口を通過する空気を濾過する内筒フィルタと、
　前記内筒フィルタを経た空気をさらに排気することにより比較的小さい塵埃を捕集するフィルタが設けられた上部フィルタユニットと、
を有するサイクロン集塵装置と、
　前記空気の出口となる前記サイクロン集塵装置の開口部から、電動送風機を内蔵した前記掃除機本体部の上部に空気を導くダクト部と、
を備え、
　前記ダクト部は前記掃除機本体部に設けられて前記サイクロン集塵装置からの空気を受入れるダクト開口部を有し、
　前記サイクロン集塵装置は、前記掃除機本体部に着脱可能に設けられ、
　前記内筒フィルタを経た空気は前記上部フィルタユニットを通過し、
　前記サイクロン集塵装置は内筒を有し、前記内筒は前記内筒フィルタを含み、前記内筒は前記ダストカップの底まで延びて前記ダストカップの底と嵌合し、
　前記内筒フィルタで濾過された後の空気は、前記内筒を通じて前記上部フィルタユニットに導かれ、
　前記内筒と前記ダストカップの底との間の空気の漏れを防止するシール部材さらに備える、電気掃除機。」
である点で一致し、以下の点で相違する。
　
（相違点１）
　本件発明１においては、ダクト部とサイクロン集塵装置の開口部との気密を保つ環状のパッキン部を備えているのに対して、甲１発明においては、その点の構成は明らかでない点。
（相違点２）
　本件発明１においては、サイクロン集塵装置は、掃除機本体に装着したときにサイクロン集塵装置の軸を掃除機本体の垂直方向に対して斜めに配置させるのに対して、甲１発明においては、ダストボックス２の軸は、そのような配置ではない点。
（相違点３）
　本件発明１においては、上部フィルタユニットの上にフィルタ除塵部材を設けているのに対して、甲１発明においては、そのような構成を有していない点。
　
　なお、本件発明１の「前記内筒フィルタを経た空気をさらに排気することにより比較的小さい塵埃を捕集するフィルタが設けられた上部フィルタユニット」、「前記上部フィルタユニットの上に設けられたフィルタ除塵部材とを有するサイクロン集塵装置」、「前記内筒フィルタを経た空気は前記上部フィルタユニットを通過」、「前記サイクロン集塵装置は内筒を有し、前記内筒は前記内筒フィルタを含み」、「前記内筒は前記ダストカップの底まで延びて前記ダストカップの底と嵌合」及び「前記内筒フィルタで濾過された後の空気は、前記内筒を通じて前記上部フィルタユニットに導かれ」という構成のみでは、上部フィルタユニットとダストカップの底との間には何らの部材も存在しないという構成が特定されたということはできない。よって、上部フィルタユニットから落下する塵埃をダストカップの底に堆積させるという作用が特定されたとは必ずしもいえず、フィルタから除塵された塵埃をどこに収容するかについての特定もないのであるから、本件発明１は、上部フィルタユニットとダストカップの底との間にフィルタをさらに設けるという構成を排除するものではない。
　よって、甲１発明が外側フィルタ部６と円筒状フィルタ２９との間に内側フィルタ部７をさらに備えていることによって、本件発明１と甲１発明との間に相違が生ずるとはいえない。
（３）判断
　上記各相違点について検討する。
ア　上記相違点１について
　吸引式の電気掃除機において、吸引流路に漏れが生じないように電気掃除機内の流路構造を気密に構成することは、吸引効率の向上、塵埃の漏出防止の観点等から当業者が当然に配慮すべき設計事項である。そして、当該気密構造のひとつの具体的手段として、流路接続部の接続口に環状のパッキン部を備えるようにすることは本件特許出願前の周知技術であるし、当該パッキン部を着脱可能なサイクロン式の集塵装置と電気掃除機本体との接続口に備えるようにすることも本件特許出願前の周知技術である（必要であれば、甲第１号証の１の記載事項（２ｄ）中のシールパッキン４２についての記載、甲第２号証の記載事項（３ｃ）中のパッキン４５についての記載等参照。）。
　そうしてみると、甲１発明において、ダストボックス２の上蓋部１４の排気口３０と掃除機本体１の連絡通路３１との接続口との気密を保つ環状のパッキン部を備えるようにすること、すなわち上記相違点１に係る本件発明１の構成を得ることは、電気掃除機の吸引効率の向上、塵埃の漏出防止の観点等から当業者が必要に応じて採用し得た設計的事項といえる。
　
イ　上記相違点２について
　甲第２号証には、略円筒状の集塵ケース21を有する集塵装置20を着脱自在に形成した電気掃除機において（上記記載事項（３ａ）参照）、集塵装置20を、集塵装置収納室９への収納状態で、蓋体24が後方上部に向くように傾斜して装着したものが記載されている（上記記載事項（３ｂ）参照）。そして、集塵装置20は掃除機本体１への装着状態で、排出口44が後方上部に向かって傾斜するようになっていると共に、電動送風機６を吸気口７が上に向くように装着しているので、吸込口４から集塵装置20への吸塵路12及び集塵装置20から電動送風機６への吸引路15を空気がスムースに流れるよう構成することができ、通気抵抗を低減して吸気効率を向上することができることが記載されている（上記記載事項（３ｅ）参照）。
　甲第２号証の１には、掃除機本体１０に着脱自在に装着され、円筒状の排気筒３４を有するサイクロン式の集塵器３０ａを備えた電気掃除機において（上記記載事項（４ａ）、（４ｂ）、（４ｄ）参照）、集塵器３０ａが掃除機本体１０に対してその上部が後方の電動送風機がある方向に傾斜した姿勢で装着されていることが記載されている（上記記載事項（４ｅ）参照）。
　甲第２号証の２には、掃除機本体１のケース体２に集塵部が着脱可能に装着される電気掃除機において（上記記載事項（５ａ）、（５ｂ）参照）、濾過部66を有底円筒状の集塵カップ65に取り付けて構成した集塵部９は、上部の濾過部66が前側上方に向く傾斜した状態で集塵カップ65の下部がケース体２の装着下凹部38に載置係合されて本体ケース４の前側に装着されることが記載されている（上記記載事項（５ｃ）参照）。
　甲第２号証の３には、本体から取り出し可能な集塵部５（上記記載事項（６ｂ）参照）について、集塵部５は、遠心分離部７の鉛直方向の中心軸が、塵埃蓄積部８の鉛直方向の中心軸に対し３０°傾斜させた構成とし、集塵部５が本体に対してその上部が後方の電動送風機がある方向に傾斜した姿勢で装着されたものが記載されている（上記記載事項（６ａ）、（６ｅ）参照）。そして、集塵部５は遠心分離部７を塵埃蓄積部８に対し３０°の角度で傾斜させていることで、全体高さを抑えることができることが記載されている（上記記載事項（６ｃ）参照）。
　甲第２号証の４には、本体８のシャーシ９に分離機構１０を取り外し可能に搭載する真空掃除機７において（上記記載事項（７ａ）、（７ｂ）参照）、分離機構１０が真空掃除機７の本体８に対してその上部が後方に傾斜した姿勢で装着されたものが記載されている（上記記載事項（７ｃ）参照）。
　甲第２号証の５には、電気掃除機の集塵構造に関して（上記記載事項（８ａ）参照）、略円筒状をなすプレフィルター１６を備え、運ぶことが可能な集塵部５（上記記載事項（８ｂ）、（８ｃ）参照）の上部が後方の電動送風機がある方向に傾斜した姿勢で装着されていることが記載されている（上記記載事項（８ｄ））。
　甲第２号証の６には、掃除機本体１００の前方部に着脱可能に装着される前記集塵ユニット２００を含む、真空掃除機１０（上記記載事項（９ａ）、（９ｂ）参照）において、略円筒形に形成された集塵体２１０を有する集塵ユニット２００が掃除機本体１００後方の連結流路１１４の方向に傾斜した姿勢で装着されていることが記載されている（上記記載事項（９ｅ）参照）。
　これらの文献の記載にみられるように、甲１発明の属する技術分野である着脱可能な集塵装置を備えたサイクロン式の電気掃除機において、掃除機本体の全体高さを抑えることを目的として、当該集塵装置を掃除機本体の垂直方向に対して斜めに配置し、集塵装置内の旋回流の中心軸も掃除機本体の垂直方向に対して斜めに配置する構成とすることは本件特許出願前の周知技術である。
　そして、掃除機本体は嵩高であると重心が不安定化して掃除の際の取り回しが不便であるため全体高さはなるべく抑えたほうが良いという電気掃除機における一般的課題については、甲１発明の電気掃除機においても内在する課題であるから、甲１発明の「ダストボックス２」について、その軸を、上記周知技術のとおり、掃除機本体に装着したときに掃除機本体の垂直方向に対して斜めに配置させることには十分な動機づけが存在するといえるし、当該配置とすることに特段の阻害要因はない。
　そうすると、甲１発明の「ダストボックス２」について、その軸を、上記周知技術のとおり、掃除機本体に装着したときに掃除機本体の垂直方向に対して斜めに配置させること、すなわち上記相違点２に係る本件発明１の構成とすることは、当業者が容易になし得ることである。
　
ウ　上記相違点３について
　甲１発明の属する技術分野であるサイクロン式の電気掃除機において、その集塵装置のフィルターは、当該集塵装置から排気される空気に含まれる細塵を捕集する機能を果たすものの、細塵が徐々に蓄積して目詰まりを起こすことが問題となっており、当該蓄積した細塵をフィルターから容易に除去して、フィルターのメンテナンス性を向上させたいということが周知の課題であった（例えば、甲第３号証の２（上記記載事項（１２ｃ））、甲第７号証（上記記載事項（１６ｂ））参照）。そうすると、上記周知の課題が内在する甲１発明においても、ダストボックス本体５で塵埃が濾過された空気をさらに濾過するものである「円筒状フィルタ２９」について、付着した塵埃を容易に除去したいという動機づけは存在する。
　そして、甲第７号証には、
「ゴミ混じり空気を流し環状スペースＳの周囲に流れて遠心力を発生するゴミ混じり空気の入り口４４を有し、サイクロン状の空気流れによって取り除かれたゴミ屑を回収するゴミカップ部分３６、該ゴミカップ部分３６の内側に配設され比較的クリーンな空気が流れ込む吸気開口６８を有し、該吸気開口６８が空気流れを作るほぼ円筒形に構成されたプレフィルター６６および内側支持体６４を有するサイクロン状の空気流れを発生するゴミ回収容器３０において、
　前記プレフィルター６６および内側支持体６４は、前記ゴミカップ部分３６の底壁３７から配設されるほぼ円筒形に構成され、
　前記プレフィルター６６および内側支持体６４の上部には、該吸気開口６８を介して排気された空気を濾過して排気するフィルター５２と、該フィルター５２の上に前記フィルター５２にて濾過されたゴミ屑をクリーニングするクリカー１３０を有し、
　前記クリカー１３０によりクリーニングされたゴミ屑は前記フィルター５２からふるい落とされる、サイクロン状の空気流れを発生するゴミ回収容器３０。」（上記記載事項（１６ａ）〜（１６ｈ）参照。）が記載されており、サイクロン式の電気掃除機のサイクロン集塵装置において、円筒形フィルターの上部に配置され、該円筒形フィルターを介して排気された空気を濾過して排気するフィルターの上に、当該フィルターにて濾過された塵埃を除去する塵埃除去部材（甲第７号証においては「クリカー１３０」）を設けることは、本件特許出願前の周知技術である。
　よって、甲１発明の「円筒状フィルタ２９」について、付着した塵埃を容易に除去するために、上記周知技術を適用すること、すなわち上記相違点３に係る本件発明１の構成とすることは、当業者が容易になし得ることである。
　
エ　本件発明１の作用効果について
　本件特許明細書には、本件発明１の構成により奏される作用効果について何ら記載はない。そして、本件発明１は、サイクロン集塵装置の軸の「斜め」配置が「ダクト部がある方向」に傾けたものであるかどうかなどが特定されず、空気が上部フィルタユニットを「上方に」通過するとの特定もなく、上部フィルタユニットとサイクロン集塵装置の開口部やダクトとの位置関係、これらの関連構造も明確でないから、請求人が主張する、塵埃が分離された後の空気は軸方向の速度成分を維持したまま上部フィルタユニット１３を通過することができることや、排気経路は積層体が傾斜することで直線に近い形状となり電動送風機２に筐体１０が近づくため排気効率が向上するという効果は、請求項の記載に基づかないものであり、これを認めることはできない。また、上部フィルタユニットから落下した塵埃が内筒内のダストカップ底に溜まる効果についても、本件発明１にはそのような効果を奏する構成は特定されておらず、請求項の記載に基づかないものである。
　そして、内筒フィルタがダストカップの底と嵌合し、シール部材が設けられているため、この部分での空気に漏れを防止していることは、甲第１号証記載の公知の効果であり、サイクロン集塵装置が傾斜していることによる塵埃の堆積状態についても、同様の構成を有する甲第２号証等に記載の周知の構成から当業者が予測し得る範囲のものにすぎず、格別顕著なものということはできない。
（４）小括
　したがって、本件発明１は、甲１発明及び上記周知技術（甲第１号証の１、甲第２号証、甲第２号証の１〜６、甲第７号証）に基いて当業者が容易に発明をすることができたものであるから、特許法第２９条第２項の規定に違反して特許されたものであり、よってその特許は同法第１２３条第１項第２号に該当する。
　よって、本件発明１についての特許は、無効理由１により無効とすべきものである。
　
３　無効理由２について
（１）本件発明２と甲１発明との対比、一致点・相違点
　本件発明２は、本件発明１に「前記内筒の底部は開放されており、前記サイクロン集塵装置は、前記掃除機本体の垂直方向より前記ダクト部がある方向の斜めに配置させる」という構成を付加したものである。
　そこで、本件発明２と甲１発明とを対比すると、甲１発明の「ダストボックス本体５の底部の底蓋２１には、底蓋２１に沿って空間部２６から空間部２８へ空気が洩れることがないように、外側フィルタ部６の外側筒状部材８の下端縁と底蓋２１とのあいだの隙間を閉塞するためのパッキン３６が設けられ、外側筒状部材８の下端縁は、底蓋２１にパッキン３６を介して嵌合している」構成から、パッキン３６がなければ、空間部２６から空間部２８へ空気が洩れてしまう構成であること、すなわち外側フィルタ部６の外側筒状部材８の下端は開放されたものであることが理解できる。
　このことは、甲第１号証には、甲１発明の「ダストボックス本体５の底部の底蓋２１」について、「ダストボックス本体５の底部には、取手１９の下部に設けられたヒンジ２０により開閉自在に構成された底蓋２１が取り付けられている。この底蓋２１は、吸気管１５の下方に設けられたレバー２２の上部を押すことにより、レバー２２の下端に形成されたクランプ２３が底蓋２１側の係止爪２４より外れて、ダストボックス本体５の下端開口を開放するようになっている。」（上記記載事項（１ｆ））ことが記載され、ダストボックス本体５底部の空間部２６に堆積した大きな塵埃及びダストボックス本体５底部の空間部２８に堆積した塵埃をそこから廃棄するものであることが示唆されていることとも整合する。
　そのほか、上記１（１）に示した本件発明１と甲１発明との相当関係を踏まえると、本件発明２と甲１発明とは、以下の点で相違し、その余の点においては一致する。
　
（相違点１）
　本件発明２においては、ダクト部とサイクロン集塵装置の開口部との気密を保つ環状のパッキン部を備えているのに対して、甲１発明においては、その点の構成は明らかでない点。
（相違点２’）
　本件発明２においては、サイクロン集塵装置は、掃除機本体に装着したときにサイクロン集塵装置の軸を掃除機本体の垂直方向に対して、掃除機本体の垂直方向よりダクト部がある方向の斜めに配置させるのに対して、甲１発明においては、ダストボックス２の軸は、そのように配置させるとはいえない点。
（相違点３）
　本件発明２においては、上部フィルタユニットの上にフィルタ除塵部材を設けているのに対して、甲１発明においては、そのような構成を有していない点。
　
（２）判断
　上記各相違点について検討する。
ア　上記相違点１及び相違点３について
　上記相違点１及び相違点３は、本件発明１と甲１発明との相違点１及び相違点３と同じであるから、上記「１（３）ア及びウ」に示したとおりである。
　
イ　上記相違点２’について
　上記相違点２’は、本件発明１と甲１発明との相違点２について、サイクロン集塵装置の軸の傾斜方向が「ダクト部がある方向」であることを特定したものである。
　しかしながら、サイクロン集塵装置の軸の傾斜方向が「ダクト部がある方向」であることも、甲第２号証、甲第２号証の１、甲第２号証の３、甲第２号証の４、甲第２号証の５、甲第２号証の６にみられるように本件特許出願前の周知技術である（上記「１（３）イ」参照）。
　そして、サイクロン集塵装置の軸の傾斜方向が「ダクト部がある方向」に特定されても、上記「１（３）イ」に示した電気掃除機における一般的課題は影響を受けるものではないから、甲１発明の「ダストボックス２」に上記周知技術を適用することには十分な動機づけが存在するといえるし、適用に際しての特段の阻害要因はない。
　よって、甲１発明のダストボックス２について、その軸を、上記周知技術のとおり、掃除機本体に装着したときに掃除機本体の垂直方向に対してダクト部がある方向の斜めに配置させるようにすること、すなわち上記相違点２’に係る本件発明２の構成とすることは、当業者が容易になし得ることである。
　
ウ　　本件発明２の作用効果について
　本件特許明細書には、本件発明２の構成により奏される作用効果について何ら記載はない。そして、本件発明２は、サイクロン集塵装置の軸の「斜め」配置を「ダクト部がある方向」に傾けたものであると特定するものの、空気が上部フィルタユニットを「上方に」通過するとの特定もなく、上部フィルタユニットとサイクロン集塵装置の開口部やダクトとの位置関係、これらの関連構造が明確でないから、請求人が主張する、塵埃が分離された後の空気は軸方向の速度成分を維持したまま上部フィルタユニット１３を通過することができることや、排気経路は積層体が傾斜することで直線に近い形状となり電動送風機２に筐体１０が近づくため排気効率が向上するという効果は、請求項の記載に基づかないものであり、これを認めることはできない。
　請求人が主張するその余の効果については、上記「１（３）エ」に示したとおりである。
（３）小括
　したがって、本件発明２は、甲１発明及び上記周知技術（甲第１号証の１、甲第２号証、甲第２号証の１、甲第２号証の３〜６、甲第７号証）に基いて当業者が容易に発明をすることができたものであるから、特許法第２９条第２項の規定に違反して特許されたものであり、よってその特許は同法第１２３条第１項第２号に該当する。
　よって、本件発明２についての特許は、無効理由２により無効とすべきものである。
　
４　被請求人の主張について
（１）上記「第５（１）」の主張について
　本件発明１においては、空気が上部フィルタユニットを「上方に」通過するとの特定はされていないから、これに基づく主張は、請求項の記載に基づかないものであり、認められない。
　また、掃除機本体の全体高さを抑えることを目的として、集塵装置の軸を掃除機本体の垂直方向に対して斜めに配置する構成は周知技術であり、甲１発明の「ダストボックス２」について、その軸を、上記周知技術のとおり、掃除機本体に装着したときに掃除機本体の垂直方向に対して斜めに配置することに阻害要因はないことは上記「１（３）イ」に説示したとおりである。
　そうすると、甲１発明に上記周知技術を適用した際に、掃除機本体の高さが低く抑えられることは、当業者の予測し得る範囲内のものといえる。
　よって、被請求人の上記主張は理由がなく、採用できない。
　
（２）上記「第５（２）」の主張について
　甲第１号証には、「ダストボックス内部の状況を視認することができ、かつ、掃除機全体の強度が低下するのを抑制することができるサイクロン式のキャニスタタイプの電気掃除機を提供することを目的とする。」（【０００８】）との記載があるが、甲１発明について「ダストボックス２の軸を掃除機本体に装着したときに掃除機本体の垂直方向に対して斜めに配置した」場合においても、甲１発明は、斜めに配置された「ダストボックス２」に合わせて、連結部３７等の掃除機本体の形状・構造、材料等を適宜に選択することにより、ダストボックス内部の視認性や掃除機全体の強度を保ったまま設計変更することが十分に可能なものである。
　そうすると、甲１発明について上記場合のように設計変更しても、上記目的は必ずしも変更されないから、それにより阻害要因が生ずるともいえない。
　よって、被請求人の上記主張は当を得たものでなく、採用できない。
　
（３）上記「第５（３）」の主張について
　甲第１号証の１は、吸引式の電気掃除機において、吸引流路に漏れが生じないように電気掃除機内の流路構造を気密に構成するための周知の気密構造として、流路接続部の接続口に環状のパッキン部を備えるようにすることの例示を引用したものであり、甲第１号証の１の集塵装置の軸を掃除機本体に対して斜めに配置するよう変更することに阻害要因があるかどうかは、甲第１号証の１を引用する際には何ら問題とならないものである。
　よって、被請求人の上記主張は当を得たものでなく、採用できない。
　
（４）上記「第５（４）」の主張について
　本件発明１においては、空気が上部フィルタユニットを「上方に」通過するとの特定はされていないから、これに基づく主張は、請求項の記載に基づかないものであり、認められない。
　よって、被請求人の上記主張は理由がなく、採用できない。
　
（５）上記「第５（５）」の主張について
　本件発明１において「フィルタ除塵部材」は、「フィルタを除塵する」という機能を特定した「部材」と解されるものであって、上部フィルタユニットの上に設けられることが特定されたものである。一方、本件発明１においては、上部フィルタユニットから落下する塵埃をダストカップの底に堆積させる構成は特定されておらず、フィルタから除塵された塵埃をどこに収容するかについての特定もないことは、上記「２（２）」に説示したとおりである。
　そうすると、甲１発明については、フィルタから除塵した塵埃の収容場所を特定して検討する必要はなく、単に円筒状フィルタ２９に除塵部材を設けることができるかを検討すれば足りるのであるから、甲１発明が外側フィルタ部６と円筒状フィルタ２９との間に内側フィルタ部７をさらに備えているものであっても、甲１発明の円筒状フィルタ２９に甲第７号証記載の周知技術を適用することの阻害要因とはならない。
　本件発明１には、上部フィルタユニットから落下する塵埃をダストカップの底に堆積させる構成が特定されているという前提に基づく請求人の主張は、請求項の記載に基づかないものであり、認められない。
　よって、被請求人の上記主張は当を得たものでなく、採用できない。
第８　むすび
　以上のとおり、本件発明１及び本件発明２についての特許は、無効理由１及び無効理由２により無効とすべきものである。
　審判に関する費用については、特許法第１６９条第２項の規定で準用する民事訴訟法第６１条の規定により、被請求人が負担すべきものとする。
　よって、結論のとおり審決する。